(57)【要約】【課題】アプリケーションの提供を受ける際、スマートフォンのマルチタッチパネルを利用して端末利用者の認証を行える携帯端末認証システムを提供する。【解決手段】携帯端末認証システム１０は、スマートフォン１１がタッチ面域データを検出する面域データ第１検出手段、タッチ面域データをサーバ１３に送信する面域データ第１送信手段、アプリケーションの提供を受ける際、タッチ面域データを検出する面域データ第２検出手段、タッチ面域データをサーバ１３に送信する面域データ第２送信手段を有し、サーバ１３がタッチ面域データを記憶する面域データ記憶手段、面域データ第２送信手段により送信されたタッチ面域データを面域データ記憶手段により記憶したタッチ面域データと照合する面域データ照合手段、それらタッチ面域データが実質的に同一と判断すると、スマートフォン１１に対しアプリケーションの提供を許可する面域データ判断手段を有する。【選択図】図１
2014021839.tif 000002
【特許請求の範囲】
【請求項１】
複数ポイントのタッチ面域データを同時に検出可能なマルチタッチパネルを有する高機能携帯端末と、各種複数のアプリケーションを前記携帯端末に提供するサーバとから形成され、端末利用者が前記携帯端末を利用して前記サーバからアプリケーションの提供を受ける際、前記サーバが前記携帯端末の端末利用者を認証する携帯端末認証システムにおいて、
前記高機能携帯端末が、前記端末利用者の五指のうち、前記マルチタッチパネルにタッチした少なくとも人差し指、中指、薬指の末節骨の指のはらの前記タッチ面域データを検出する面域データ第１検出手段と、前記面域データ第１検出手段によって検出した前記タッチ面域データを前記サーバに送信する面域データ第１送信手段と、前記アプリケーションの提供を受ける際に、前記端末利用者の五指のうち、前記マルチタッチパネルにタッチした少なくとも人差し指、中指、薬指の末節骨の指のはらの前記タッチ面域データを検出する面域データ第２検出手段と、前記面域データ第２検出手段によって検出した前記タッチ面域データを前記サーバに送信する面域データ第２送信手段とを含み、
前記サーバが、前記面域データ第１送信手段によって送信されたタッチ面域データを記憶する面域データ記憶手段と、前記面域データ第２送信手段によって送信されたタッチ面域データを前記面域データ記憶手段によって記憶したタッチ面域データと照合する面域データ照合手段と、前記面域データ照合手段によって照合したそれらタッチ面域データが実質的に同一であると判断すると、前記面域データ第２送信手段によってタッチ面域データを送信した携帯端末に対して前記アプリケーションの提供を許可する面域データ判断手段とを含むことを特徴とする携帯端末認証システム。
【請求項２】
前記高機能携帯端末が、該携帯端末を特定する携帯端末特定情報を前記サーバに送信する特定情報第１送信手段と、前記アプリケーションの提供を受ける際に、該携帯端末を特定する携帯端末特定情報を前記サーバに送信する特定情報第２送信手段とを含み、前記面域データ記憶手段では、前記タッチ面域データを前記携帯端末特定情報に関連付けて記憶し、前記面域データ照合手段では、前記特定情報第２送信手段によって送信された携帯端末特定情報を前記面域データ記憶手段によって記憶した携帯端末特定情報と照合し、前記面域データ判断手段では、前記面域データ照合手段によって照合したそれら携帯端末特定情報が同一であると判断すると、前記面域データ第２送信手段によってタッチ面域データを送信した携帯端末に対して前記アプリケーションの提供を許可する請求項１に記載の携帯端末認証システム。
【請求項３】
前記高機能携帯端末が、該携帯端末を利用する端末利用者の個人情報を前記サーバに送信する個人情報第１送信手段と、前記アプリケーションの提供を受ける際に、該携帯端末を利用する端末利用者の個人情報を前記サーバに送信する個人情報第２送信手段とを含み、前記面域データ記憶手段では、前記タッチ面域データを前記個人情報に関連付けて記憶し、前記面域データ照合手段では、前記個人情報第２送信手段によって送信された個人情報を前記面域データ記憶手段によって記憶した個人情報と照合し、前記面域データ判断手段では、前記面域データ照合手段によって照合したそれら個人情報が同一であると判断すると、前記面域データ第２送信手段によってタッチ面域データを送信した携帯端末に対して前記アプリケーションの提供を許可する請求項１または請求項２に記載の携帯端末認証システム。
【請求項４】
前記高機能携帯端末が、前記タッチ面域データの検出時に、前記マルチタッチパネルの所定の位置に前記端末利用者の指をタッチさせるタッチ区域を表示するタッチ区域表示手段を含む請求項１ないし請求項３いずれかに記載の携帯端末認証システム。
【請求項５】
前記マルチタッチパネルにおける複数ポイントのタッチ面域データが、該マルチタッチパネルに検出された前記指のはらの接触面域の面積データと、該マルチタッチパネルに検出された前記指のはらの接触面域の中心点を結ぶことから作られた図形データとのうちの少なくとも一方であり、前記面域データ照合手段では、前記面域データ第２送信手段によって送信された前記面積データと前記図形データとの少なくとも一方を、前記面域データ記憶手段によって記憶した前記面積データと前記図形データとの少なくとも一方と照合し、前記面域データ判断手段では、前記面域データ照合手段によって照合した前記面積データと前記図形データとの少なくとも一方が実質的に同一であるか否かを判断する請求項１ないし請求項４いずれかに記載の携帯端末認証システム。
【請求項６】
前記面積データが、前記端末利用者の人差し指の末節骨の指のはらの接触面域から計測した人差し指の面積データと、前記端末利用者の中指の末節骨の指のはらの接触面域から計測した中指の面積データと、前記端末利用者の薬指の末節骨の指のはらの接触面域から計測した薬指の面積データとである請求項５に記載の携帯端末認証システム。
【請求項７】
前記図形データが、前記端末利用者の人差し指、中指、薬指の３つの指の末節骨の指のはらの接触面域の中心点を結ぶことから作られた三角形データである請求項５に記載の携帯端末認証システム。
【請求項８】
複数ポイントのタッチ面域データを同時に検出可能なマルチタッチパネルを有する高機能携帯端末において、
前記高機能携帯端末が、前記端末利用者の五指のうち、前記マルチタッチパネルにタッチした少なくとも人差し指、中指、薬指の末節骨の指のはらの前記タッチ面域データを検出する面域データ第１検出手段と、前記面域データ第１検出手段によって検出した前記タッチ面域データを記憶する面域データ記憶手段と、該携帯端末を使用する際に、前記端末利用者の五指のうち、前記マルチタッチパネルにタッチした少なくとも人差し指、中指、薬指の末節骨の指のはらの前記タッチ面域データを検出する面域データ第２検出手段と、前記面域データ第２検出手段によって検出したタッチ面域データを前記面域データ記憶手段によって記憶したタッチ面域データと照合する面域データ照合手段と、前記面域データ照合手段によって照合したそれらタッチ面域データが実質的に同一であると判断すると、前記携帯端末の使用を許可する面域データ判断手段とを含むことを特徴とする高機能携帯端末。
【請求項９】
前記高機能携帯端末が、該携帯端末を利用する端末利用者の個人情報を記憶する個人情報記憶手段と、該携帯端末を使用する際に、該携帯端末を利用する端末利用者の個人情報を取得する個人情報取得手段とを含み、前記面域データ記憶手段では、前記タッチ面域データを前記個人情報に関連付けて記憶し、前記面域データ照合手段では、前記個人情報取得手段によって取得した個人情報を前記個人情報記憶手段によって記憶した個人情報と照合し、前記面域データ判断手段では、前記面域データ照合手段によって照合したそれら個人情報が同一であると判断すると、前記携帯端末の使用を許可する請求項８に記載の高機能携帯端末。
【請求項１０】
前記高機能携帯端末が、前記タッチ面域データの検出時に、前記マルチタッチパネルの所定の位置に前記端末利用者の指をタッチさせるタッチ区域を表示するタッチ区域表示手段を含む請求項８または請求項９に記載の高機能携帯端末。
【請求項１１】
前記マルチタッチパネルにおける複数ポイントのタッチ面域データが、該マルチタッチパネルに検出された前記指のはらの接触面域の面積データと、該マルチタッチパネルに検出された前記指のはらの接触面域の中心点を結ぶことから作られた図形データとのうちの少なくとも一方であり、前記面域データ照合手段では、前記面域データ第２検出手段によって検出した前記面積データと前記図形データとの少なくとも一方を、前記面域データ記憶手段によって記憶した前記面積データと前記図形データとの少なくとも一方と照合し、前記面域データ判断手段では、前記面域データ照合手段によって照合した前記面積データと前記図形データとの少なくとも一方が実質的に同一であるか否かを判断する請求項８ないし請求項１０いずれかに記載の高機能携帯端末。
【請求項１２】
前記面積データが、前記端末利用者の人差し指の末節骨の指のはらの接触面域から計測した人差し指の面積データと、前記端末利用者の中指の末節骨の指のはらの接触面域から計測した中指の面積データと、前記端末利用者の薬指の末節骨の指のはらの接触面域から計測した薬指の面積データとである請求項１１に記載の高機能携帯端末。
【請求項１３】
前記図形データが、前記端末利用者の人差し指、中指、薬指の３つの指の末節骨の指のはらの接触面域の中心点を結ぶことから作られた三角形データである請求項１１に記載の高機能携帯端末。
【発明の詳細な説明】
【技術分野】
【０００１】
本発明は、端末利用者が携帯端末を利用してサーバからアプリケーションの提供を受ける際、サーバが携帯端末の端末利用者を認証する認証手続きを行う携帯端末認証システムに関する。また、本発明は、端末利用者が高機能携帯端末を使用する際、その携帯端末が端末利用者を認証する認証手続きを行う高機能携帯端末に関する。
【背景技術】
【０００２】
面状のタッチ検出領域を有するタッチパネルと、そのタッチパネルに利用者の指がタッチされたとき、タッチパネルにより検出されたタッチ領域の画像に基づいて、指の形状を表す特徴データを抽出する特徴データ抽出手段と、抽出された特徴データを登録する特徴データ登録手段と、登録後にタッチパネル上にタッチされた指の検出画像に基づく特徴データを登録済の特徴データと照合する特徴データ照合手段とを備え、特徴データ照合手段によって照合した結果、検出画像に基づく特徴データと登録済の特徴データとが合致した場合、そのロックを解除する携帯電話が開示されている（特許文献１参照）。この携帯電話における指の形状を表す特徴データとしては、利用者の人差し指、中指、薬指の末節骨、中節骨、基節骨までの関節間部分の長さ、隣接するそれら指の関節間部分のなす角度、隣接するそれら指の関節の位置のずれ量、隣接するそれら指の関節間部分の間隔がある。
【先行技術文献】
【特許文献】
【０００３】
【特許文献１】特開２０１０−２６８９８９号公報
【発明の概要】
【発明が解決しようとする課題】
【０００４】
前記特許文献１に開示の携帯電話では、利用者の人差し指、中指、薬指の末節骨、中節骨、基節骨までの関節間部分の各データを取得する必要があるが、タッチパネルにそれら指の末節骨、中節骨、基節骨までの関節間部分のデータを検出させるため、利用者が指先から指の付け根までの指全域のはらをタッチパネルにタッチしなければならない。そのために、タッチパネルには指先から指の付け根までの指の全てのはらをタッチ可能な大きさが要求されるが、携帯電話の小型化にともなって携帯電話に実装されるタッチパネルの面積も小型化され、タッチパネルの面積によっては指先から指の付け根までの指全域のはらをタッチすることができない場合がある。指全域のはらをタッチすることができないと、タッチパネルにおいて指の形状を表す特徴データを抽出することができず、指の特徴データどうしを照合することができないから、携帯電話の利用者の認証を行うことができない。
【０００５】
本発明の目的は、アプリケーションの提供を受ける際、携帯端末のマルチタッチパネルを利用して端末利用者の認証を確実に行うことができる携帯端末認証システムを提供することにある。本発明の他の目的は、携帯端末を使用する際、携帯端末のマルチタッチパネルを利用して端末利用者の認証を確実に行うことができる高機能携帯端末を提供することにある。
【課題を解決するための手段】
【０００６】
前記課題を解決するための本発明の第１の前提は、複数ポイントのタッチ面域データを同時に検出可能なマルチタッチパネルを有する高機能携帯端末と、各種複数のアプリケーションを携帯端末に提供するサーバとから形成され、端末利用者が携帯端末を利用してサーバからアプリケーションの提供を受ける際、サーバが携帯端末の端末利用者を認証する携帯端末認証システムである。
【０００７】
前記第１の前提における本発明の特徴は、高機能携帯端末が、端末利用者の五指のうち、マルチタッチパネルにタッチした少なくとも人差し指、中指、薬指の末節骨の指のはらのタッチ面域データを検出する面域データ第１検出手段と、面域データ第１検出手段によって検出したタッチ面域データをサーバに送信する面域データ第１送信手段と、アプリケーションの提供を受ける際に、端末利用者の五指のうち、マルチタッチパネルにタッチした少なくとも人差し指、中指、薬指の末節骨の指のはらのタッチ面域データを検出する面域データ第２検出手段と、面域データ第２検出手段によって検出したタッチ面域データをサーバに送信する面域データ第２送信手段とを含み、サーバが、面域データ第１送信手段によって送信されたタッチ面域データを記憶する面域データ記憶手段と、面域データ第２送信手段によって送信されたタッチ面域データを面域データ記憶手段によって記憶したタッチ面域データと照合する面域データ照合手段と、面域データ照合手段によって照合したそれらタッチ面域データが実質的に同一であると判断すると、面域データ第２送信手段によってタッチ面域データを送信した携帯端末に対してアプリケーションの提供を許可する面域データ判断手段とを含むことにある。
【０００８】
本発明にかかる携帯端末認証システムの一例としては、高機能携帯端末が、その携帯端末を特定する携帯端末特定情報をサーバに送信する特定情報第１送信手段と、アプリケーションの提供を受ける際に、その携帯端末を特定する携帯端末特定情報をサーバに送信する特定情報第２送信手段とを含み、面域データ記憶手段では、タッチ面域データを携帯端末特定情報に関連付けて記憶し、面域データ照合手段では、特定情報第２送信手段によって送信された携帯端末特定情報を面域データ記憶手段によって記憶した携帯端末特定情報と照合し、面域データ判断手段では、面域データ照合手段によって照合したそれら携帯端末特定情報が同一であると判断すると、面域データ第２送信手段によってタッチ面域データを送信した携帯端末に対してアプリケーションの提供を許可する。
【０００９】
本発明にかかる携帯端末認証システムの他の一例としては、高機能携帯端末が、その携帯端末を利用する端末利用者の個人情報をサーバに送信する個人情報第１送信手段と、アプリケーションの提供を受ける際に、その携帯端末を利用する端末利用者の個人情報をサーバに送信する個人情報第２送信手段とを含み、面域データ記憶手段では、タッチ面域データを個人情報に関連付けて記憶し、面域データ照合手段では、個人情報第２送信手段によって送信された個人情報を面域データ記憶手段によって記憶した個人情報と照合し、面域データ判断手段では、面域データ照合手段によって照合したそれら個人情報が同一であると判断すると、面域データ第２送信手段によってタッチ面域データを送信した携帯端末に対してアプリケーションの提供を許可する。
【００１０】
本発明にかかる携帯端末認証システムの他の一例としては、高機能携帯端末が、タッチ面域データの検出時に、マルチタッチパネルの所定の位置に端末利用者の指をタッチさせるタッチ区域を表示するタッチ区域表示手段を含む。
【００１１】
本発明にかかる携帯端末認証システムの他の一例としては、マルチタッチパネルにおける複数ポイントのタッチ面域データが、マルチタッチパネルに検出された指のはらの接触面域の面積データと、マルチタッチパネルに検出された指のはらの接触面域の中心点を結ぶことから作られた図形データとのうちの少なくとも一方であり、面域データ照合手段では、面域データ第２送信手段によって送信された面積データと図形データとの少なくとも一方を、面域データ記憶手段によって記憶した面積データと図形データとの少なくとも一方と照合し、面域データ判断手段では、面域データ照合手段によって照合した面積データと図形データとの少なくとも一方が実質的に同一であるか否かを判断する。
【００１２】
本発明にかかる携帯端末認証システムの他の一例としては、面積データが、端末利用者の人差し指の末節骨の指のはらの接触面域から計測した人差し指の面積データと、端末利用者の中指の末節骨の指のはらの接触面域から計測した中指の面積データと、端末利用者の薬指の末節骨の指のはらの接触面域から計測した薬指の面積データとである。
【００１３】
本発明にかかる携帯端末認証システムの他の一例としては、図形データが、端末利用者の人差し指、中指、薬指の３つの指の末節骨の指のはらの接触面域の中心点を結ぶことから作られた三角形データである。
【００１４】
前記課題を解決するための本発明の第２の前提は、複数ポイントのタッチ面域データを同時に検出可能なマルチタッチパネルを有する高機能携帯端末である。
【００１５】
前記第２の前提における本発明の特徴は、高機能携帯端末が、端末利用者の五指のうち、マルチタッチパネルにタッチした少なくとも人差し指、中指、薬指の末節骨の指のはらのタッチ面域データを検出する面域データ第１検出手段と、面域データ第１検出手段によって検出したタッチ面域データを記憶する面域データ記憶手段と、携帯端末を使用する際に、端末利用者の五指のうち、マルチタッチパネルにタッチした少なくとも人差し指、中指、薬指の末節骨の指のはらのタッチ面域データを検出する面域データ第２検出手段と、面域データ第２検出手段によって検出したタッチ面域データを面域データ記憶手段によって記憶したタッチ面域データと照合する面域データ照合手段と、面域データ照合手段によって照合したそれらタッチ面域データが実質的に同一であると判断すると、携帯端末の使用を許可する面域データ判断手段とを含むことにある。
【００１６】
本発明にかかる高機能携帯端末の一例としては、高機能携帯端末が、その携帯端末を利用する端末利用者の個人情報を記憶する個人情報記憶手段と、携帯端末を使用する際に、その携帯端末を利用する端末利用者の個人情報を取得する個人情報取得手段とを含み、面域データ記憶手段では、タッチ面域データを個人情報に関連付けて記憶し、面域データ照合手段では、個人情報取得手段によって取得した個人情報を個人情報記憶手段によって記憶した個人情報と照合し、面域データ判断手段では、面域データ照合手段によって照合したそれら個人情報が同一であると判断すると、前記携帯端末の使用を許可する。
【００１７】
本発明にかかる高機能携帯端末の他の一例としては、高機能携帯端末が、タッチ面域データの検出時に、マルチタッチパネルの所定の位置に端末利用者の指をタッチさせるタッチ区域を表示するタッチ区域表示手段を含む。
【００１８】
本発明にかかる高機能携帯端末の他の一例としては、マルチタッチパネルにおける複数ポイントのタッチ面域データが、マルチタッチパネルに検出された指のはらの接触面域の面積データと、マルチタッチパネルに検出された指のはらの接触面域の中心点を結ぶことから作られた図形データとのうちの少なくとも一方であり、面域データ照合手段では、面域データ第２検出手段によって検出した面積データと図形データとの少なくとも一方を、面域データ記憶手段によって記憶した面積データと図形データとの少なくとも一方と照合し、面域データ判断手段では、面域データ照合手段によって照合した面積データと図形データとの少なくとも一方が実質的に同一であるか否かを判断する。
【００１９】
本発明にかかる高機能携帯端末の他の一例としては、面積データが、端末利用者の人差し指の末節骨の指のはらの接触面域から計測した人差し指の面積データと、端末利用者の中指の末節骨の指のはらの接触面域から計測した中指の面積データと、端末利用者の薬指の末節骨の指のはらの接触面域から計測した薬指の面積データとである。
【００２０】
本発明にかかる高機能携帯端末の他の一例としては、図形データが、端末利用者の人差し指、中指、薬指の３つの指の末節骨の指のはらの接触面域の中心点を結ぶことから作られた三角形データである。
【発明の効果】
【００２１】
本発明にかかる携帯端末認証システムによれば、面域データ第１検出手段や面域データ第２検出手段によって検出した端末利用者の五指のうちの少なくとも人差し指、中指、薬指であってそれら指の末節骨の指のはらのタッチ面域データを照合するから、端末利用者の指先のみを携帯端末のマルチタッチパネルにタッチすればよく、指先から指の付け根までの指全域のはらをタッチする必要はなく、高機能携帯端末に実装されるマルチタッチパネルが小型化したとしても、端末利用者の指のタッチ面域データを確実に取得することができ、アプリケーションの提供時において端末利用者の認証を確実に行うことができる。携帯端末認証システムは、面域データ照合手段によって照合したそれらタッチ面域データが実質的に同一であると判断すると、サーバが携帯端末に対してアプリケーションの提供を許可し、タッチ面域データが異なる場合、その携帯端末へのアプリケーションの提供を不可とするから、アプリケーションの使用権限がない第三者によるアプリケーションの不正な使用を防ぐことができる。
【００２２】
面域データ照合手段によって照合したそれら携帯端末特定情報が同一であると判断すると、携帯端末に対してアプリケーションの提供を許可する携帯端末認証システムは、携帯端末を特定する携帯端末特定情報が異なる場合、その携帯端末へのアプリケーションの提供を不可とするから、アプリケーションの使用が許可されていない携帯端末によるアプリケーションの不正な使用を防ぐことができるのみならず、タッチ面域データの照合とともに携帯端末特定情報の照合を行うことにより、アプリケーション提供時の認証の精度を向上させることができ、アプリケーション提供時における認証逃れや認証漏れを防ぐことができる。
【００２３】
面域データ照合手段によって照合したそれら個人情報が同一であると判断すると、携帯端末に対してアプリケーションの提供を許可する携帯端末認証システムは、端末利用者を特定する個人情報が異なる場合、その端末利用者の携帯端末へのアプリケーションの提供を不可とするから、携帯端末の使用権限がない第三者によるアプリケーションの不正な使用を防ぐことができるのみならず、タッチ面域データの照合とともに個人情報の照合を行うことにより、アプリケーション提供時の認証の精度を向上させることができ、アプリケーション提供時における認証逃れや認証漏れを防ぐことができる。
【００２４】
タッチ面域データの検出時に、高機能携帯端末がマルチタッチパネルの所定の位置に端末利用者の指をタッチさせるタッチ区域を表示する携帯端末認証システムは、携帯端末がマルチタッチパネルの所定の位置にタッチ区域を表示することで、マルチタッチパネルにおける指のタッチ位置が明確になり、タッチ面域データの検出時においてマルチタッチパネルにおける指のタッチ位置が大きくずれることはなく、端末利用者の指のタッチ面域データを確実に検出することができるとともに、指のタッチ面域データを確実に照合することができ、アプリケーションの提供時において端末利用者の認証を確実に行うことができる。
【００２５】
タッチ面域データが指のはらの接触面域の面積データと指のはらの接触面域の中心点を結ぶことから作られた図形データとのうちの少なくとも一方であり、面域データ判断手段において面積データと図形データとの少なくとも一方が実質的に同一であるか否かを判断する携帯端末認証システムは、面積データと図形データとの少なくとも一方が異なる場合、その携帯端末へのアプリケーションの提供を不可とするから、アプリケーションの使用権限がない第三者によるアプリケーションの不正な使用を防ぐことができる。携帯端末認証システムは、端末利用者の認証に面積データと図形データとの両者を使用する場合、それらのうちのいずれか一方のみを認証に使用する場合と比較し、認証の精度を向上させることができ、第三者によるアプリケーションの不正な使用を確実に防ぐことができる。
【００２６】
前記面積データが人差し指の末節骨の指のはらの接触面域から計測した人差し指の面積データ、中指の末節骨の指のはらの接触面域から計測した中指の面積データ、薬指の末節骨の指のはらの接触面域から計測した薬指の面積データである携帯端末認証システムは、端末利用者の人差し指、中指、薬指の３つの指の接触面域の各面積データの少なくとも１つが異なる場合、その携帯端末へのアプリケーションの提供を不可とするから、アプリケーションの使用権限がない第三者によるアプリケーションの不正な使用を防ぐことができる。携帯端末認証システムは、人差し指、中指、薬指の３つの指の接触面域の各面積データを端末利用者の認証に使用するから、端末利用者の人差し指、中指、薬指のうちのいずれか１つのみの面積データを認証に使用する場合と比較し、認証の精度を向上させることができ、第三者によるアプリケーションの不正な使用を確実に防ぐことができる。
【００２７】
図形データが端末利用者の人差し指、中指、薬指の３つの指の末節骨の指のはらの接触面域の中心点を結ぶことから作られた三角形データである携帯端末認証システムは、３つの指の末節骨の指のはらの接触面域の中心点を結ぶことから作られた三角形データを照合し、三角形データが異なる場合、その携帯端末へのアプリケーションの提供を不可とするから、アプリケーションの使用権限がない第三者によるアプリケーションの不正な使用を防ぐことができる。携帯端末認証システムは、認証に使用する三角形データを端末利用者の３つの指の末節骨の指のはらの接触面域の中心点を結ぶことから作るから、指先から指の付け根までの指全域のはらをタッチする必要はなく、携帯端末に実装されるマルチタッチパネルが小型化したとしても、端末利用者の指のタッチ面域データである三角形データを確実に作ることができ、アプリケーションの利用時において端末利用者の認証を確実に行うことができる。
【００２８】
本発明にかかる高機能携帯端末によれば、面域データ第１検出手段や面域データ第２検出手段によって検出した端末利用者の五指のうちの少なくとも人差し指、中指、薬指であってそれら指の末節骨の指のはらのタッチ面域データを照合するから、端末利用者の指先のみを携帯端末のマルチタッチパネルにタッチすればよく、指先から指の付け根までの指全域のはらをタッチする必要はなく、高機能携帯端末に実装されるマルチタッチパネルが小型化したとしても、端末利用者の指のタッチ面域データを確実に取得することができ、携帯端末の使用時において端末利用者の認証を確実に行うことができる。高機能携帯端末は、面域データ照合手段によって照合したそれらタッチ面域データが実質的に同一であると判断すると、携帯端末の使用を許可し、タッチ面域データが異なる場合、その携帯端末の使用を不可とするから、携帯端末の使用権限がない第三者による携帯端末の不正な使用を防ぐことができ、携帯端末におけるデータの不正取得やデータの改竄、なりすまし等の不正行為を防ぐことができる。
【００２９】
面域データ照合手段によって照合したそれら個人情報が同一であると判断すると、携帯端末の使用を許可する高機能携帯端末は、端末利用者を特定する個人情報が異なる場合、その端末利用者における携帯端末の使用を不可とするから、携帯端末の使用権限がない第三者による携帯端末の不正使用を防ぐことができ、携帯端末におけるデータの不正取得やデータの改竄、なりすまし等の不正行為を防ぐことができる。高機能携帯端末は、タッチ面域データの照合とともに個人情報の照合を行うことにより、端末利用者認証の精度を向上させることができ、アプリケーション提供時における認証逃れや認証漏れを防ぐことができる。
【００３０】
タッチ面域データの検出時に、マルチタッチパネルの所定の位置に端末利用者の指をタッチさせるタッチ区域を表示する高機能携帯端末は、マルチタッチパネルの所定の位置にタッチ区域を表示することで、マルチタッチパネルにおける指のタッチ位置が明確になり、タッチ面域データの検出時においてマルチタッチパネルにおける指のタッチ位置が大きくずれることはなく、端末利用者の指のタッチ面域データを確実に検出することができるとともに、指のタッチ面域データを確実に照合することができ、携帯端末の使用時において端末利用者の認証を確実に行うことができる。
【００３１】
タッチ面域データが指のはらの接触面域の面積データと指のはらの接触面域の中心点を結ぶことから作られた図形データとのうちの少なくとも一方であり、面域データ判断手段において面積データと図形データとの少なくとも一方が実質的に同一であるか否かを判断する高機能携帯端末は、面積データと図形データとの少なくとも一方が異なる場合、その携帯端末の使用を不可とするから、携帯端末の使用権限がない第三者による携帯端末の不正な使用を防ぐことができ、携帯端末におけるデータの不正取得やデータの改竄、なりすまし等の不正行為を防ぐことができる。高機能携帯端末は、端末利用者の認証に面積データと図形データとの両者を使用する場合、それらのうちのいずれか一方のみを認証に使用する場合と比較し、認証の精度を向上させることができ、第三者による携帯端末の不正な使用を確実に防ぐことができる。
【００３２】
面積データが人差し指の末節骨の指のはらの接触面域から計測した人差し指の面積データ、中指の末節骨の指のはらの接触面域から計測した中指の面積データ、薬指の末節骨の指のはらの接触面域から計測した薬指の面積データである高機能携帯端末は、端末利用者の人差し指、中指、薬指の３つの指の接触面域の各面積データの少なくとも１つが異なる場合、その携帯端末へのアプリケーションの提供を不可とするから、アプリケーションの使用権限がない第三者によるアプリケーションの不正な使用を防ぐことができる。携帯端末認証システムは、人差し指、中指、薬指の３つの指の接触面域の各面積データを端末利用者の認証に使用するから、端末利用者の人差し指、中指、薬指のうちのいずれか１つのみの面積データを認証に使用する場合と比較し、認証の精度を向上させることができ、第三者によるアプリケーションの不正な使用を確実に防ぐことができる。
【００３３】
図形データが端末利用者の人差し指、中指、薬指の３つの指の末節骨の指のはらの接触面域の中心点を結ぶことから作られた三角形データである高機能携帯端末は、３つの指の末節骨の指のはらの接触面域の中心点を結ぶことから作られた三角形データを照合し、三角形データが異なる場合、その携帯端末の使用を不可とするから、携帯端末の使用権限がない第三者による携帯端末の不正な使用を防ぐことができ、携帯端末におけるデータの不正取得やデータの改竄、なりすまし等の不正行為を防ぐことができる。高機能携帯端末は、認証に使用する三角形データを端末利用者の３つの指の末節骨の指のはらの接触面域の中心点を結ぶことから作るから、指先から指の付け根までの指全域のはらをタッチする必要はなく、マルチタッチパネルが小型化したとしても、端末利用者の指のタッチ面域データである三角形データを確実に作ることができ、携帯端末の利用時において端末利用者の認証を確実に行うことができる。
【図面の簡単な説明】
【００３４】
【図１】一例として示す携帯端末認証システムの概略構成図。
【図２】スマートフォンにおける指のタッチ面域データを検出する手順の説明図。
【図３】マルチタッチパネルにおいて検出された指の面積データ（タッチ面域データ）の一例を示す図。
【図４】マルチタッチパネルにおいて検出された三角形データ（タッチ面域データ）の一例を示す図。
【図５】指の面積データの比較の一例を示す図。
【図６】三角形データの比較の一例を示す図。
【図７】システムにおいて行われる認証手順の一例を示すフローチャート。
【図８】図７から続くフローチャート。
【図９】タッチ区域が表示された一例として示すスマートフォン（高機能携帯端末）の正面図。
【図１０】スマートフォンにおいて指のタッチ面域データを検出する手順の説明図。
【図１１】スマートフォンにおいて行われる認証手順の一例を示すフローチャート。
【図１２】図１１から続くフローチャート。
【発明を実施するための形態】
【００３５】
一例として示す携帯端末認証システム１０の概略構成図である図１等の添付の図面を参照し、本発明に係る携帯端末認証システムの詳細を説明すると、以下のとおりである。携帯端末認証システム１０は、各種複数のスマートフォン１１（各種複数の高機能携帯端末）と、それらスマートフォン１１にインターネット１２を介して各種複数のアプリケーションを提供するサーバ１３とから形成されている。なお、図１では１台のサーバ１３を図示しているが、実際には各種複数のアプリケーションを提供する複数のサーバ１３が存在する。また、スマートフォン１１は、それぞれ機種が異なるとともにそれを提供するキャリア（メーカー）が異なる。
【００３６】
スマートフォン１１は、中央処理部（ＣＰＵまたはＭＰＵ）とメインメモリとを有して独立したオペレーティングシステム（ＯＳ）によって動作する物理的なコンピュータを内蔵し、大容量ハードディスクを実装している。スマートフォン１１は、複数ポイントのタッチ面域データ１５（面積データおよび三角形データ）（図３，４参照）を同時に検出可能なマルチタッチパネル１４（静電容量方式）を備えている。スマートフォン１１のメモリには、ウェブブラウザが格納されている。スマートフォン１１のハードディスクには、サーバ１３のＵＲＬが格納されているとともに、各所に設置された物理的な外部サーバ（コンピュータ）や仮想サーバ（コンピュータ）のＵＲＬが格納されている。
【００３７】
スマートフォン１１は、ウェブブラウザを利用してインターネット１２に接続可能であり、インターネット１２を利用して不特定多数の他のサーバ（物理サーバや仮想サーバ）にアクセスかつログインすることができるとともに、インターネット１２において各種検索エンジンを利用することができる。スマートフォン１１は、ＵＲＬを使用してサーバ１３にアクセスかつログインすることができるとともに、インターネット１２を介して各種データをサーバ１３を含む他の複数の外部サーバに提供することができ、インターネット１２を介して各種データをサーバ１３を含む他の複数の外部サーバから受け取ることができる。
【００３８】
スマートフォン１１のハードディスクには、そのスマートフォン１１を特定する携帯端末特定情報が格納されている。携帯端末特定情報としては、スマートフォン１１のＩＰアドレスやＭＡＣアドレス、ＵＲＬ、メールアドレス、Ｃｏｏｋｉｅ情報、スマートフォンの固体識別番号等の携帯端末特定情報を利用することができる他、スマートフォン１１がそれを識別するユニークな識別番号を独自に生成し、生成した識別番号を携帯端末特定情報とすることができる。スマートフォン１１のハードディスクには、そのスマートフォン１１を使用する権限を有する端末利用者の個人情報が格納される。個人情報としては、パスワードやＩＤ番号、端末利用者名、住所、電話番号、ＦＡＸ番号、メールアドレス等がある。
【００３９】
スマートフォン１１のハードディスクには、アプリケーションを提供する特定のサーバ１３に対応するタッチ面域データ１５の検出履歴が携帯端末特定情報とそのサーバ１３のＵＲＬとに関連付けられた状態で格納される。スマートフォン１１のハードディスクには、アプリケーションを提供する特定のサーバ１３へのタッチ面域データ１５の送信履歴が携帯端末特定情報とそのサーバ１３のＵＲＬとに関連付けられた状態で格納される。スマートフォン１１のハードディスクには、サーバ１３から送信されたデータ記憶完了情報がそのサーバ１３のＵＲＬに関連付けられた状態で格納される。
【００４０】
サーバ１３は、アプリケーションを有償または無償で提供するショップが契約するデータセンターに設置または仮想されているが、アプリケーションを提供するショップに設置される場合もある。サーバ１３は、中央処理装置（ＣＰＵまたはＭＰＵ）とメモリとを有して独立したオペレーティングシステム（ＯＳ）によって動作する物理的なコンピュータまたは仮想されたバーチャルコンピュータであり、物理的な大容量ハードディスクまたは仮想された大容量ハードディスクを実装している。なお、図示はしていないが、サーバ１３には、キーボードやマウス等の入力装置、ディスプレイやプリンタ等の出力装置がインターフェイスを介して接続されている。
【００４１】
サーバ１３のハードディスクには、スマートフォン１１に提供する各種複数のアプリケーションが格納されている。サーバ１３は、後記する認証手続によって認証結果が可であるスマートフォン１１に対し、インターネット１２を介してアプリケーションをダウンロードする。なお、サーバ１３のハードディスクには、スマートフォン１１から送信された携帯端末特定情報および個人情報が格納されるとともに、スマートフォン１１から送信されたタッチ面域データ１５が携帯端末特定情報および個人情報に関連付けられた状態で格納される。
【００４２】
サーバ１３は、ホスト名とそのホスト名に割り当てるＩＰアドレスとの対応付けを設定するＤＮＳサーバ機能、ホームページを公開するために必要なＷｅｂサーバ機能、他のコンピュータや他のサーバからの要求を受け付けて各種情報を読み書きする機能を提供するデータベースサーバ機能、電子メールの送受信用のメールサーバ機能、作成された文章や画像等のデータをすべて保存してそれらのデータを検索可能にするドキュメントサーバ機能等の各種サーバ機能を有する。なお、インターネット１２に接続された各種複数のＤＮＳサーバ等を経由しつつ、スマートフォン１１が所定のサーバに接続される。
【００４３】
図２は、スマートフォン１１において指のタッチ面域データ１５を検出する手順の説明図であり、図３は、マルチタッチパネル１４において検出された指１８〜２０の面積データ２１ａ〜２１ｃ（タッチ面域データ１５）の一例を示す図である。図４は、マルチタッチパネル１４において検出された三角形データ２２（タッチ面域データ１５）の一例を示す図であり、図５は、指１８〜２０の面積データ２１ａ〜２１ｃの比較の一例を示す図である。図６は、三角形データ２２の比較の一例を示す図であり、図７は、このシステム１０において行われる認証手順の一例を示すフローチャートである。図８は、図７から続くフローチャートである。
【００４４】
携帯端末認証システム１０では、端末利用者がスマートフォン１１を利用してサーバ１３からアプリケーションの提供（アプリケーションのダウンロード）を受ける際、サーバ１３がスマートフォンの端末利用者を認証し、認証結果が可である場合、スマートフォン１１に対してアプリケーションの提供を許可する。逆に、認証結果が不可である場合、スマートフォン１１へのアプリケーションの提供を不可とする。アプリケーションの提供を許可した場合、サーバ１３が許可したアプリケーションをスマートフォン１１にダウンロードし、端末利用者はそのアプリケーションをスマートフォン１１を介して利用することができる。
【００４５】
それら図に基づいて、このシステム１０における認証手順を説明すると、以下のとおりである。端末利用者がスマートフォン１１のスイッチをＯＮにすると、スマートフォン１１の中央処理部は、マルチタッチパネル１４に初期画面（図示せず）を表示する（Ｓ−１）。初期画面には、図示はしていないが、ウェブブラウザを示すアイコンの他、スマートフォン１１に他の機能を実行させるアイコンやコマンドが表示されるとともに、閉じるボタンが表示される。閉じるボタンをクリックすると、スマートフォン１１の電源がＯＦＦになる。インターネット１２を介してスマートフォン１１にアプリケーションをダウンロードする場合、最初にウェブブラウザのアイコンをクリックし、インターネット１２に接続する。
【００４６】
スマートフォン１１がインターネット１２に接続すると、図示はしていないが、各ショップのＷｅｂページにジャンプ（各ショップのサーバ１３へログイン）する各種複数のリンク、それらショップ以外の他のＷｅｂページにジャンプ（他のホームページへログイン）する各種複数のリンク、戻るボタンがマルチタッチパネル１４に表示される。戻るボタンをクリックすると、インターネット１２への接続が解除され、初期画面がマルチタッチパネル１４に表示される。
【００４７】
特定のショップへのリンクをクリックすると、インターネット１２を介してそのショップのサーバ１３にログインする。スマートフォン１１がインターネット１２を介して特定のサーバ１３にログインした場合、スマートフォン１１の中央処理部は、そのサーバ１３に対応するタッチ面域データ１５の検出履歴やそのサーバ１３へのタッチ面域データ１５の送信履歴、サーバ１３から送信されたデータ記憶完了情報があるかを判断する（Ｓ−２）。
【００４８】
スマートフォン１１がインターネット１２を介して特定のサーバ１３に初めてログインし、そのサーバ１３（ショップ）からアプリケーションを初めてダウンロードする場合、スマートフォン１１のハードディスクには、そのサーバ１３に対応するタッチ面域データ１５の検出履歴およびそのサーバ１３へのタッチ面域データ１５の送信履歴、サーバ１３から送信されたデータ記憶完了情報が格納されていない。
【００４９】
スマートフォン１１の中央処理部は、タッチ面域データ１５の検出履歴やタッチ面域データ１５の送信履歴、データ記憶完了情報を検索し、タッチ面域データ１５の検出履歴やタッチ面域データ１５の送信履歴、データ記憶完了情報がないと判断すると、マルチタッチパネル１４の所定の位置に端末利用者の指をタッチさせる登録用のタッチ区域１６ａ〜１６ｃを表示する（タッチ区域表示手段）（Ｓ−３）。
【００５０】
マルチタッチパネル１４には、図２（ａ）に示すように、端末利用者の右手１７の五指のうち、人差し指１８の末節骨の指のはらをタッチする人差し指タッチ区域１６ａ、中指１９の末節骨の指のはらをタッチする中指タッチ区域１６ｂ、薬指２０の末節骨の指のはらをタッチする薬指タッチ区域１６ｃが表示される。さらに図示はしていないが、マルチタッチパネル１４には、それらタッチ区域１６ａ〜１６ｃへの指１８〜２０のタッチ要請メッセージ、戻るボタン、初期画面表示ボタンが表示される。携帯端末認証システム１０は、スマートフォン１１がマルチタッチパネル１４の所定の位置にタッチ区域１６ａ〜１６ｃを表示するから、パネル１１における指１８〜２０のタッチ位置が明確になり、タッチ面域データ１５の検出時においてパネル１１における指１８〜２０のタッチ位置が大きくずれることはなく、端末利用者の指１８〜２０のタッチ面域データ１５を確実に検出することができる。
【００５１】
戻るボタンをクリックすると、１つ前の画面に戻り、各ショップのＷｅｂページにジャンプする各種複数のリンク、他のＷｅｂページにジャンプする各種複数のリンク、戻るボタンがマルチタッチパネル１４に表示される。初期画面表示ボタンをクリックすると、スマートフォン１１がサーバ１３からログアウトし、インターネット１２への接続が解除され、初期画面がマルチタッチパネル１４に表示される。
【００５２】
端末利用者は、タッチ要請メッセージにしたがい、図２（ｂ）に示すように、マルチタッチパネル１４に表示された人差し指タッチ区域１６ａに右手１７の人差し指１８の末節骨の指のはらをタッチし、中指タッチ区域１６ｂに右手１７の中指１９の末節骨の指のはらをタッチするとともに、薬指タッチ区域１６ｃに右手１７の薬指２０の末節骨の指のはらをタッチする。端末利用者が人差し指１８、中指１９、薬指２０をそれらタッチ区域１６ａ〜１６ｃにタッチすると、スマートフォン１１の中央処理部は、マルチタッチパネル１４が人差し指１８の末節骨の指のはらのタッチ面域データ１５や中指１９の末節骨の指のはらのタッチ面域データ１５、薬指２０の末節骨の指のはらのタッチ面域データ１５を検知可能か判断する（Ｓ−４）。
【００５３】
マルチタッチパネル１４がそれら指１８〜２０のタッチ面域データ１５を検知できない場合、スマートフォン１１の中央処理部は、ステップ３（Ｓ−３）に戻り、パネル１４の所定の位置に端末利用者の指１８〜２０をタッチさせるタッチ区域１６ａ〜１６ｃを表示するとともに、タッチ要請メッセージ、戻るボタン、初期画面表示ボタンを表示し、ステップ３からの手順を繰り返す。端末利用者は、再度タッチ区域１６ａ〜１６ｃへの指１８〜２０のタッチを行い、パネル１４（スマートフォン１１）にタッチ面域データ１５を検出させる。
【００５４】
マルチタッチパネル１４がそれら指１８〜２０のタッチ面域データ１５を検知可能な場合、スマートフォン１１の中央処理部は、パネル１４における位置座標から求めた人差し指１８の末節骨の指のはらのタッチ面域データ１５、パネル１４における位置座標から求めた中指１９の末節骨の指のはらのタッチ面域データ１５、パネル１４における位置座標から求めた薬指２０の末節骨の指のはらのタッチ面域データ１５を検出する（面域データ第１検出手段）。なお、右手１７ではなく、左手の指（人差し指、中指、薬指）からタッチ面域データ１５を検出することもできる。
【００５５】
スマートフォン１１の中央処理部は、タッチ面域データ検出完了メッセージをマルチタッチパネル１４に表示し、検出したそれら指１８〜２０のタッチ面域データ１５を一時的にハードディスクに格納するとともに、ログインしたサーバ１３に対応するタッチ面域データ１５の検出履歴をハードディスクに格納する（検出履歴記憶手段）。検出履歴には、携帯端末特定情報（スマートフォン１１のＩＰアドレス、ＭＡＣアドレス、ＵＲＬ、メールアドレス、Ｃｏｏｋｉｅ情報、スマートフォン１１の固体識別番号等の携帯端末特定情報、生成した識別番号等のうちの少なくとも１つ）、サーバ１３のＵＲＬ、タッチ面域データ１５の検出日時がある。検出日時は、携帯端末特定情報およびサーバ１３のＵＲＬに関連付けられた状態でハードディスクに格納される。なお、携帯端末特定情報として、スマートフォン１１のＩＰアドレスを利用するものとする。
【００５６】
検出履歴をハードディスクに格納した後、スマートフォン１１の中央処理部は、個人情報入力画面（図示せず）をマルチタッチパネル１４に表示する。個人情報入力画面には、個人情報（パスワードやＩＤ番号、端末利用者名、住所、電話番号、ＦＡＸ番号、メールアドレス等のうちの少なくともパスワードや端末利用者名）の入力エリア、ＯＫボタン、タッチ面域データ１５再入力ボタン、初期画面表示ボタンが表示される。なお、入力画面には、パスワード入力エリアおよび端末利用者名入力エリアが表示されるものとする。
【００５７】
タッチ面域データ再入力ボタンをクリックすると、スマートフォン１１の中央処理部は、ステップ３（Ｓ−３）に戻り、マルチタッチパネル１４の所定の位置に端末利用者の指１８〜２０をタッチさせるタッチ区域１６ａ〜１６ｃを表示するとともに、タッチ要請メッセージ、戻るボタン、初期画面表示ボタンを表示し、ステップ３からの手順を繰り返す。この場合、スマートフォン１１の中央処理部は、ハードディスクに格納した検出履歴をハードディスクから消去する。端末利用者は、再度タッチ区域１６ａ〜１６ｃへの指１８〜２０のタッチを行い、マルチタッチパネル１４（スマートフォン１１）にタッチ面域データ１５を検出させる。初期画面表示ボタンをクリックすると、スマートフォン１１がサーバ１３からログアウトし、インターネット１２への接続が解除され、初期画面がマルチタッチパネル１４に表示される。この場合も、スマートフォン１１の中央処理部は、ハードディスクに格納した検出履歴をハードディスクから消去する。
【００５８】
パスワード入力エリアにパスワードを入力するとともに、端末利用者名入力エリアに端末利用者名を入力した後、ＯＫボタンをクリックすると、スマートフォン１１の中央処理部は、タッチ面域データ登録画面（図示せず）をマルチタッチパネル１４に表示し、タッチ面域データ１５や携帯端末特定情報、個人情報を登録するかを判断する（Ｓ−５）。タッチ面域データ登録画面には、検出されたタッチ面域データ１５が表示されたタッチ面域データ表示エリア、入力されたパスワードが表示されたパスワード表示エリア、入力された端末利用者名が表示された端末利用者名表示エリア、データ登録ボタン、クリアボタン、タッチ面域データ再入力ボタン、初期画面表示ボタンが表示される。クリアボタンをクリックすると、各入力エリアに入力したデータが消去され、個人情報入力画面が再びパネル１４に表示される。端末利用者は、それら入力エリアへ再度データを入力する。タッチ面域データ再入力ボタンや初期画面表示ボタンをクリックした後の処理は、既述のとおりである。
【００５９】
データ登録ボタンをクリックすると、スマートフォン１１の中央処理部は、データ送信メッセージをマルチタッチパネル１４に表示し、ハードディスクに一時的に格納したそれら指のタッチ面域データ１５をインターネット１２を介してサーバ１３に送信し（面域データ第１送信手段）、スマートフォン１１のＩＰアドレス（携帯端末特定情報）をインターネット１２を介してサーバ１３に送信するとともに（特定情報第１送信手段）、入力されたパスワードおよび端末利用者名（個人情報）をインターネット１２を介してサーバ１３に送信する（個人情報第１送信手段）（Ｓ−６）。
【００６０】
スマートフォン１１の中央処理部は、タッチ面域データ１５や携帯端末特定情報（スマートフォン１１のＩＰアドレス）、個人情報（パスワードおよび端末利用者名）をサーバ１３に送信した後、データ送信完了メッセージをマルチタッチパネル１４に表示するとともに、ハードディスクからタッチ面域データ１５および個人情報を消去する。ハードディスクからタッチ面域データ１５や個人情報を消去した後、スマートフォン１１の中央処理部は、サーバ１３へのタッチ面域データ１５の送信履歴をハードディスクに格納する（送信履歴記憶手段）。送信履歴には、スマートフォン１１のＩＰアドレス（携帯端末特定情報）、サーバ１３のＵＲＬ、タッチ面域データ１５の送信日時がある。送信日時は、スマートフォン１１のＩＰアドレスおよびサーバ１３のＵＲＬに関連付けられた状態でハードディスクに格納される。
【００６１】
なお、タッチ面域データ１５としては、マルチタッチパネル１４に検出された指１８〜２０のはらの接触面域の面積データ２１ａ〜２１ｃがある。面積データ２１ａ〜２１ｃには、図３に示すように、端末利用者の人差し指１８の末節骨の指のはらの接触面域の面積データ２１ａ、中指１９の末節骨の指のはらの接触面域の面積データ２１ｂ、薬指２０の末節骨の指のはらの接触面域の面積データ２１ｃがある。
【００６２】
スマートフォン１１の中央処理部は、人差し指１８のはらの接触面域からその接触面域の面積（ｍ２）を計測し、中指１９のはらの接触面域からその接触面域の面積（ｍ２）を計測するとともに、薬指２０のはらの接触面域からその接触面域の面積（ｍ２）を計測する。スマートフォン１１の中央処理部は、計測したそれら指の面積データ２１ａ〜２１ｃをタッチ面域データ１５としてサーバ１３に送信する。
【００６３】
また、タッチ面域データ１５としては、図４に示すように、端末利用者の人差し指１８、中指１９、薬指２０の３つの指１８〜２０の末節骨の指のはらの接触面域の中心点Ｏを結ぶことから作られた三角形データ２２（図形データ）がある。スマートフォン１１の中央処理部は、人差し指１８、中指１９、薬指２０の３つの指１８〜２０の末節骨の指のはらの接触面域のマルチタッチパネル１４における位置情報を計測するとともに、それら指１８〜２０の接触面域の長さ寸法Ｌ１および幅寸法Ｌ２を計測し、計測した長さ寸法Ｌ１の中間点（長さ寸法Ｌ１の１／２の地点）および幅寸法Ｌ２の中間点（幅寸法の１／２の地点）を求め、長さ寸法Ｌ１の中間点から幅方向へ引いた線分と幅寸法Ｌ２の中間点から長さ方向へ引いた線分との交点を接触面域の中心点Ｏとし、各指１８〜２０の接触面域の中心点Ｏ（交点）を結び、三角形２２を作る。スマートフォン１１の中央処理部は、三角形データ２２をタッチ面域データ１５としてサーバ１３に送信する。
【００６４】
サーバ１３の中央処理装置は、スマートフォン１１から送信されたタッチ面域データ１５（面積データ２１ａ〜２１ｃおよび三角形データ２２）、スマートフォン１１のＩＰアドレス（携帯端末特定情報）、パスワードおよび端末利用者名（個人情報）をハードディスクに記憶する（面域データ記憶手段）（Ｓ−７）。タッチ面域データ１５は、ＩＰアドレス、パスワード、端末利用者名に関連付けられた状態でハードディスクに格納される。サーバ１３の中央処理部は、タッチ面域データ１５等をハードディスクに記憶した後、データ記憶完了情報をスマートフォン１１に送信する。
【００６５】
サーバ１３の中央処理装置は、スマートフォン１１から送信された各指１８〜２０の面積データ２１ａ〜２１ｃの許容誤差を設定し（面積データ許容誤差決定手段）、設定した許容誤差をハードディスクに格納する（面積データ許容誤差記憶手段）。具体的には、スマートフォン１１が実際に計測した各指１８〜２０の面積（記憶済み面積）（ｍ２）に対し、±α（ｍ２）を許容誤差とする。なお、その許容誤差±α（ｍ２）は、サーバ１３に接続された入力装置を介して自由に設定することができる。許容誤差±α（ｍ２）は、各面積データ２１ａ〜２１ｃに関連付けられた状態でハードディスクに格納される。
【００６６】
サーバ１３の中央処理装置は、スマートフォン１１から送信された三角形データ２２の許容誤差を設定し（三角形データ許容誤差決定手段）、設定した許容誤差をハードディスクに格納する（三角形データ許容誤差記憶手段）。具体的には、スマートフォン１１が作成した三角形２２（記憶済み三角形）の各辺Ａ１〜Ａ３の長さ対し、±β（ｍｍ）を許容誤差とする。また、スマートフォン１１が作成した三角形２２（記憶済み三角形）の各角の角度Ｂ１〜Ｂ３に対し、±γ（°）を許容誤差とする。さらに、スマートフォン１１が作成した三角形２２（記憶済み三角形）の面積Ｓに対し、±δ（ｍ２）を許容誤差とする。なお、それら許容誤差±β（ｍｍ）、±γ（°）、±δ（ｍ２）は、サーバ１３に接続された入力装置を介して自由に設定することができる。それら許容誤差±β（ｍｍ）、±γ（°）、±δ（ｍ２）は、三角形データ２２に関連付けられた状態でハードディスクに格納される。
【００６７】
スマートフォン１１の中央処理部は、データ記憶完了情報をサーバ１３から受信すると、データ記憶完了情報をサーバ１３のＵＲＬに関連付けた状態でハードディスクに記憶する。スマートフォン１１の中央処理部は、データ記憶完了情報を記憶した後、アプリケーションダウンロード画面をマルチタッチパネル１４に表示する（Ｓ−８）。アプリケーションダウンロード画面には、データ記憶完了情報を送信したサーバ（ショップ）のホームページ、カテゴリー別や料金別等のアプリケーションの検索エンジン、初期画面表示ボタン、閉じるボタンが表示される。
【００６８】
スマートフォン１１の中央処理部は、サーバ１３からアプリケーションをダウンロードするかを判断する（Ｓ−９）。初期画面表示ボタンまたは閉じるボタンをクリックすると、スマートフォン１１の中央処理部はアプリケーションをダウンロードしないと判断する。次に、スマートフォン１１の中央処理部は、その利用を中止するかを判断する（Ｓ−１０）。初期画面表示ボタンをクリックした場合、スマートフォン１１の中央処理部はその利用を継続すると判断するとともに、スマートフォン１１がサーバ１３からログアウトし、インターネット１２への接続が解除され、初期画面がマルチタッチパネル１４に表示される。閉じるボタンをクリックした場合、スマートフォン１１の中央処理部は、その利用を中止すると判断し、スマートフォン１１の電源をＯＦＦにする。
【００６９】
アプリケーションのダウンロードを希望する場合、端末利用者は、検索エンジンを利用して所望のアプリケーションを検索する。検索エンジンにおいてアプリケーションの検索を行うと、スマートフォン１１の中央処理部は、ステップ９（Ｓ−９）においてアプリケーションをダウンロードすると判断し、検索結果に基づいて、各種アプリケーションを示す複数のアイコンをマルチタッチパネル１４に表示する（Ｓ−１１）。なお、マルチタッチパネル１４には、アプリケーションを示すアイコンの他に、戻るボタン、初期画面表示ボタンが表示される。戻るボタンをクリックすると、アプリケーションダウンロード画面がマルチタッチパネル１４に表示される。
【００７０】
端末利用者が希望のアプリケーションのアイコンをクリックすると、スマートフォン１１の中央処理部は、マルチタッチパネル１４の所定の位置に端末利用者の指１８〜２０をタッチさせる認証用のタッチ区域１６ａ〜１６ｃを表示する（タッチ区域表示手段）（Ｓ−１２）。マルチタッチパネル１４には、人差し指１８の末節骨の指のはらをタッチする人差し指タッチ区域１６ａ、中指１９の末節骨の指のはらをタッチする中指タッチ区域１６ｂ、薬指２０の末節骨の指のはらをタッチする薬指タッチ区域１６ｃが表示される（図２（ａ）参照）。
【００７１】
マルチタッチパネル１４には、タッチ区域１６ａ〜１６ｃの他に、それらタッチ区域１６ａ〜１６ｃへの指のタッチ要請メッセージ、戻るボタン、初期画面表示ボタンが表示される。戻るボタンをクリックすると、アプリケーションダウンロード画面がマルチタッチパネル１４に表示される。携帯端末認証システム１０は、スマートフォン１１がマルチタッチパネル１４の所定の位置にタッチ区域１６ａ〜１６ｃを表示するから、パネル１４における指１８〜２０のタッチ位置が明確になり、タッチ面域データ１５の検出時においてパネル１４における指１８〜１０のタッチ位置が大きくずれることはなく、端末利用者の指１８〜２０のタッチ面域データ１５を確実に検出することができるとともに、指１８〜２０のタッチ面域データ１５を確実に照合することができ、アプリケーションの提供時において端末利用者の認証を確実に行うことができる。
【００７２】
端末利用者は、タッチ要請メッセージにしたがい、人差し指タッチ区域１６ａに右手１７の人差し指１８の末節骨の指のはらをタッチし、中指タッチ区域１６ｂに右手１７の中指１９の末節骨の指のはらをタッチするとともに、薬指タッチ区域１６ｃに右手１７の薬指２０の末節骨の指のはらをタッチする（図２（ｂ）参照）。端末利用者が人差し指１８、中指１９、薬指２９をそれらタッチ区域１６ａ〜１６ｃにタッチすると、スマートフォン１１の中央処理部は、マルチタッチパネル１４が人差し指１８の末節骨の指のはらのタッチ面域データ１５や中指１９の末節骨の指のはらのタッチ面域データ１５、薬指２０の末節骨の指のはらのタッチ面域データ１５を検知可能か判断する（Ｓ−１３）。
【００７３】
マルチタッチパネル１４がそれら指１８〜２０のタッチ面域データ１５を検知できない場合、スマートフォン１１の中央処理部は、ステップ１２（Ｓ−１２）に戻り、パネル１４の所定の位置に端末利用者の指１８〜２０をタッチさせるタッチ区域１６ａ〜１６ｃを表示するとともに、タッチ要請メッセージ、戻るボタン、初期画面表示ボタンを表示し、ステップ１２からの手順を繰り返す。端末利用者は、再度タッチ区域１６ａ〜１６ｃへの指１８〜２０のタッチを行い、マルチタッチパネル１４（スマートフォン１１）にタッチ面域データ１５を検出させる。
【００７４】
マルチタッチパネル１４がそれら指１８〜２０のタッチ面域データ１５を検知可能な場合、スマートフォン１１の中央処理部は、パネル１４における位置座標から求めた人差し指１８の末節骨の指のはらのタッチ面域データ１５、パネル１４における位置座標から求めた中指１９の末節骨の指のはらのタッチ面域データ１５、パネル１４における位置座標から求めた薬指２０の末節骨の指のはらのタッチ面域データ１５を検出する（面域データ第２検出手段）。
【００７５】
スマートフォン１１の中央処理部は、タッチ面域データ検出完了メッセージをマルチタッチパネル１４に表示し、検出したそれら指１８〜２０のタッチ面域データ１５を一時的にハードディスクに格納する。さらに、ハードディスクに格納されたタッチ面域データ１５の検出履歴や送信履歴、データ記憶完了情報を検索し、そのサーバ１３のＵＲＬおよび携帯端末特定情報（ＩＰアドレス）に対応する検出履歴や送信履歴、データ記憶完了情報が存在するかを判断する。サーバ１３のＵＲＬに対応する検出履歴や送信履歴、データ記憶完了情報がハードディスクに存在する場合、スマートフォン１１の中央処理部は、個人情報入力画面（図示せず）をマルチタッチパネル１４に表示する。個人情報入力画面には、パスワード入力エリア、端末利用者名入力エリア、ＯＫボタン、タッチ面域データ再入力ボタン、初期画面表示ボタンが表示される。
【００７６】
タッチ面域データ再入力ボタンをクリックすると、スマートフォン１１の中央処理部は、ステップ１２（Ｓ−１２）に戻り、マルチタッチパネル１４の所定の位置に端末利用者の指１８〜２０をタッチさせる認証用のタッチ区域１６ａ〜１６ｃを表示するとともに、タッチ要請メッセージ、戻るボタン、初期画面表示ボタンを表示し、ステップ１２からの手順を繰り返す。
【００７７】
この場合、スマートフォン１１の中央処理部は、ハードディスクに格納したそれら指１８〜２０のタッチ面域データ１５をハードディスクから消去する。端末利用者は、再度タッチ区域１６ａ〜１６ｃへの指１８〜２０のタッチを行い、マルチタッチパネル１４（スマートフォン１１）にタッチ面域データ１５を検出させる。初期画面表示ボタンをクリックすると、スマートフォン１１がサーバ１３からログアウトし、インターネット１２への接続が解除され、初期画面がマルチタッチパネル１４に表示される。この場合も、スマートフォン１１の中央処理部は、ハードディスクに格納したそれら指のタッチ面域データ１５をハードディスクから消去する。
【００７８】
パスワード入力エリアにパスワードを入力するとともに、端末利用者名入力エリアに端末利用者名を入力した後、ＯＫボタンをクリックすると、スマートフォン１１の中央処理部は、タッチ面域データ送信画面（図示せず）をマルチタッチパネル１４に表示し、タッチ面域データ１５や携帯端末特定情報、個人情報をサーバ１３に送信するかを判断する（Ｓ−１４）。
【００７９】
タッチ面域データ送信画面には、検出されたタッチ面域データ１５が表示されたタッチ面域データ表示エリア、入力されたパスワードが表示されたパスワード表示エリア、入力された端末利用者名が表示された端末利用者名表示エリア、データ送信ボタン、クリアボタン、タッチ面域データ再入力ボタン、初期画面表示ボタンが表示される。クリアボタンをクリックすると、各入力エリアに入力したデータが消去され、個人情報入力画面が再びパネル１４に表示される。端末利用者は、それら入力エリアへ再度データを入力する。タッチ面域データ再入力ボタンや初期画面表示ボタンをクリックした後の処理は、既述のとおりである。
【００８０】
データ送信ボタンをクリックすると、スマートフォン１１の中央処理部は、データ送信メッセージをマルチタッチパネル１４に表示し、ハードディスクに一時的に格納したそれら指１８〜２０のタッチ面域データ１５をインターネット１２を介してサーバ１３に送信し（面域データ第２送信手段）、スマートフォン１１のＩＰアドレス（携帯端末特定情報）をインターネット１２を介してサーバ１３に送信するとともに（特定情報第２送信手段）、入力されたパスワードおよび端末利用者名（個人情報）をインターネット１２を介してサーバ１３に送信する（個人情報第２送信手段）（Ｓ−１５）。
【００８１】
スマートフォン１１の中央処理部は、タッチ面域データ１５や携帯端末特定情報（スマートフォン１１のＩＰアドレス）、個人情報（パスワードおよび端末利用者名）をサーバ１３に送信した後、データ送信完了メッセージおよび認証手続き実行メッセージをマルチタッチパネル１４に表示するとともに、ハードディスクからタッチ面域データ１５および個人情報を消去する。
【００８２】
なお、面域データ第２送信手段によって送信されるタッチ面域データ１５としては、マルチタッチパネル１４に検出された人差し指１８の末節骨の指のはらの接触面域の面積データ２１ａ、中指１９の末節骨の指のはらの接触面域の面積データ２１ｂ、薬指２０の末節骨の指のはらの接触面域の面積データ２１ｃがあるとともに、人差し指１８、中指１９、薬指２０の３つの指１８〜２０の末節骨の指のはらの接触面域の中心点Ｏを結ぶことから作られた三角形データ２２（図形データ）がある（図３，４参照）。
【００８３】
サーバ１３は、面域データ第２送信手段によってスマートフォン１１から送信されたタッチ面域データ１５を面域データ記憶手段によって記憶したタッチ面域データ１５と照合する（面域データ照合手段）（Ｓ−１６）。面域データ照合手段では、タッチ面域データ１５どうしの照合の他、特定情報第２送信手段によってスマートフォン１１から送信された携帯端末特定情報を面域データ記憶手段によって記憶した携帯端末特定情報と照合するとともに、特定情報第２送信手段によってスマートフォン１１から送信された個人情報を面域データ記憶手段によって記憶した個人情報と照合する。面域データ照合手段におけるタッチ面域データ１５どうしの照合では、マルチタッチパネル１４に検出された指１８〜２０のはらの接触面域の面積データ２１ａ〜２１ｃどうしを比較するとともに、人差し指１８、中指１９、薬指２０の３つの指１８〜２０の末節骨の指のはらの接触面域の中心点Ｏを結ぶことから作られた三角形データ２２どうしを比較する。
【００８４】
面積データ２１ａ〜２１ｃどうしの比較では、人差し指１８の末節骨の指のはらの接触面域の面積データ２１ａ（送信面積データ）（ｍ２）と面積データ２１ａ（記憶済み面積データ）（ｍ２）とを比較し、面積データ２１ａ（送信面積データ）が面積データ２１ａ（記憶済み面積データ）に対して許容誤差±α（ｍ２）の範囲内にあるかを判断するとともに、中指１９の末節骨の指のはらの接触面域の面積データ２１ｂ（送信面積データ）（ｍ２）と面積データ２１ｂ（記憶済み面積データ）（ｍ２）とを比較し、面積データ２１ｂ（送信面積データ）が面積データ２１ｂ（記憶済み面積データ）に対して許容誤差±α（ｍ２）の範囲内にあるかを判断する。さらに、薬指２０の末節骨の指のはらの接触面域の面積データ２１ｃ（送信面積データ）（ｍ２）と面積データ２１ｃ（記憶済み面積データ）（ｍ２）とを比較し、面積データ２１ｃ（送信面積データ）が面積データ２１ｃ（記憶済み面積データ）に対して許容誤差±α（ｍ２）の範囲内にあるかを判断する（Ｓ−１７）。
【００８５】
面積データ２１ａ〜２１ｃどうしを比較した結果、面域データ第２送信手段によって送信された面積データ２１ａ〜２１ｃの全てが面域データ記憶手段によって記憶した面積データ２１ａ〜２１ｃの許容誤差±α（ｍ２）の範囲内にある（実質的に同一である）場合、認証結果を可（アプリケーションの提供を許可）とする。逆に、面積データ２１ａ〜２１ｃどうしを比較した結果、図５に示すように、面域データ第２送信手段によって送信された面積データ２１ａ〜２１ｃの少なくとも１つが面域データ記憶手段によって記憶した面積データ２１ａ〜２１ｃの許容誤差±α（ｍ２）の範囲外である（相違する）場合、認証結果を不可とする。
【００８６】
三角形データ２２どうしの比較では、面域データ第２送信手段によって送信された三角形データ２２（送信三角データ）と面域データ記憶手段によって記憶した三角形データ２２（記憶済み三角形データ）とを比較し、三角形データ２２（送信三角データ）の各辺Ａ１〜Ａ３の長さが三角形データ２２（記憶済み三角形データ）の各辺Ａ１〜Ａ３の長さに対して許容誤差±β（ｍｍ）の範囲内にあるかを判断し、三角形データ２２（送信三角データ）の各角の角度Ｂ１〜Ｂ３が三角形データ２２（記憶済み三角形データ）の各角の角度Ｂ１〜Ｂ３に対して許容誤差±γ（°）の範囲内にあるかを判断するとともに、三角形データ２２（送信三角データ）の面積Ｓが三角形データ２２（記憶済み三角形データ）の面積Ｓに対して許容誤差±δ（ｍ２）の範囲内にあるかを判断する（Ｓ−１７）。
【００８７】
三角形データ２２どうしを比較した結果、面域データ第２送信手段によって送信された三角形データ２２が面域データ記憶手段によって記憶した三角形データ２２の許容誤差±β（ｍｍ）、±γ（°）、±δ（ｍ２）の範囲内にある（実質的に同一である）場合、認証結果を可（アプリケーションの提供を許可）とする。逆に、三角形データ２２どうしを比較した結果、図６に示すように、面域データ第２送信手段によって送信された三角形データ２２が面域データ記憶手段によって記憶した三角形データ２２の許容誤差±β（ｍｍ）、±γ（°）、±δ（ｍ２）の範囲外である（相違する）場合、認証結果を不可とする。
【００８８】
サーバ１３は、タッチ面域データ１５（面積データ２１ａ〜２１ｃおよび三角形データ２２）の認証と同時に、特定情報第２送信手段によって送信された携帯端末特定情報（ＩＰアドレス）と面域データ記憶手段によって記憶した携帯端末特定情報（ＩＰアドレス）とを比較し、それら携帯端末特定情報が同一であるかを判断する（Ｓ−１７）。それら携帯端末特定情報が同一である場合、認証結果を可（アプリケーションの提供を許可）とする。逆に、それら携帯端末特定情報が相違する場合、認証結果を不可とする。
【００８９】
サーバ１３は、タッチ面域データ１５の認証と同時に、個人情報第２送信手段によって送信された個人情報（パスワードおよび端末利用者名）と面域データ記憶手段によって記憶した個人情報（パスワードおよび端末利用者名）とを比較し、それら個人情報が同一であるかを判断する（Ｓ−１７）。それら個人情報が同一である場合、認証結果を可（アプリケーションの提供を許可）とする。逆に、それら個人情報が相違する場合、認証結果を不可とする。
【００９０】
サーバ１３は、各面積データ２１ａ〜２１ｃの許容誤差±α（ｍ２）の範囲内にあり、三角形データ２２が許容誤差±β（ｍｍ）、±γ（°）、±δ（ｍ２）の範囲内にあるとともに、携帯端末特定情報（ＩＰアドレス）および個人情報（パスワードおよび端末利用者名）が同一であり、認証結果を可とすると、認証結果可メッセージおよびダウンロード可メッセージをスマートフォン１１に送信する（認証可送信手段）。
【００９１】
さらに、サーバ１３は、スマートフォン１１のアプリケーションダウンロード画面において検索されたアプリケーションをインターネット１２を介してスマートフォン１１にダウンロードする（アプリケーションダウンロード手段）（Ｓ−１８）。スマートフォン１１のマルチタッチパネル１４には認証結果可メッセージおよびダウンロード可メッセージ、次へボタンが表示されるとともに、サーバ１３からダウンロードされたアプリケーションがスマートフォン１１のハードディスクにインストールされる。
【００９２】
サーバ１３は、認証結果を不可とすると、認証結果不可メッセージおよびダウンロード不可メッセージをスマートフォン１１に送信するとともに（認証不可送信手段）、アプリケーションのダウンロードは行わない。スマートフォン１１のマルチタッチパネル１４には、認証結果可メッセージおよびダウンロード不可メッセージ、次へボタンが表示される。
【００９３】
アプリケーションがスマートフォン１１にインストールされた後、または、認証結果不可メッセージが表示された後、次へボタンをクリックすると、スマートフォン１１の中央処理部は、再びアプリケーションダウンロード画面をマルチタッチパネル１４に表示する（Ｓ−１９）。アプリケーションダウンロード画面には、サーバ１３（ショップ）のホームページ、カテゴリー別や料金別等のアプリケーションの検索エンジン、初期画面表示ボタン、閉じるボタンが表示される。
【００９４】
スマートフォン１１の中央処理部は、サーバ１３から他のアプリケーションをダウンロードするかを判断する（Ｓ−２０）。初期画面表示ボタンまたは閉じるボタンをクリックすると、スマートフォン１１の中央処理部はアプリケーションをダウンロードしないと判断する。次に、スマートフォン１１の中央処理部は、その利用を中止するかを判断する（Ｓ−２１）。初期画面表示ボタンをクリックした場合、スマートフォン１１の中央処理部はその利用を継続すると判断するとともに、スマートフォン１１がサーバ１３からログアウトし、インターネット１２への接続が解除され、初期画面がマルチタッチパネル１４に表示される。閉じるボタンをクリックした場合、スマートフォン１１の中央処理部は、その利用を中止すると判断し、スマートフォン１１の電源をＯＦＦにする。
【００９５】
他のアプリケーションのダウンロードを希望する場合、端末利用者は、検索エンジンを利用して所望のアプリケーションを検索する。検索エンジンにおいてアプリケーションの検索を行うと、スマートフォン１１の中央処理部は、ステップ２０（Ｓ−２０）において再びアプリケーションをダウンロードすると判断し、検索結果に基づいて、各種アプリケーションを示す複数のアイコンをマルチタッチパネル１４に表示する（Ｓ−１１）。他のアプリケーションのダウンロードを場合、ステップ１１（Ｓ−１１）からの手順を繰り返す。
【００９６】
携帯端末認証システム１０は、面域データ第１検出手段や面域データ第２検出手段によって検出した端末利用者の人差し指１８、中指１９、薬指２０であってそれら指１８〜２０の末節骨の指のはらのタッチ面域データ１５（面積データ２１ａ〜２１ｃおよび三角形データ２２）を照合するから、端末利用者の指先のみをスマートフォン１１のマルチタッチパネル１４にタッチすればよく、指先から指の付け根までの指全域のはらをタッチする必要はなく、スマートフォン１１に実装されるマルチタッチパネル１４が小型化したとしても、端末利用者の指１８〜２０のタッチ面域データ１５を確実に取得することができ、アプリケーションの提供時において端末利用者の認証を確実に行うことができる。
【００９７】
携帯端末認証システム１０は、面域データ照合手段によって照合したそれらタッチ面域データ１５（面積データ２１ａ〜２１ｃおよび三角形データ２２）が実質的に同一であると判断すると、サーバ１３がスマートフォン１１に対してアプリケーションの提供を許可し、端末利用者の人差し指１８、中指１９、薬指２０の３つの指１８〜２０の接触面域の各面積データ２１ａ〜２１ｃ（タッチ面域データ１５）の少なくとも１つが異なる場合、または、３つの指１８〜２０の末節骨の指のはらの接触面域の中心点Ｏを結ぶことから作られた三角形データ２２（図形データ）（タッチ面域データ１５）が異なる場合、スマートフォン１１へのアプリケーションの提供を不可とするから、アプリケーションの使用権限がない第三者によるアプリケーションの不正な使用を防ぐことができる。
【００９８】
携帯端末認証システム１０は、人差し指１８、中指１９、薬指２０の３つの指１８〜２０の接触面域の各面積データ２１ａ〜２１ｃを端末利用者の認証に使用するから、端末利用者の人差し指１８、中指１９、薬指２０のうちのいずれか１つのみの面積データを認証に使用する場合と比較し、認証の精度を向上させることができ、第三者によるアプリケーションの不正な使用を確実に防ぐことができる。また、端末利用者の認証に面積データ２１ａ〜２１ｃと三角形データ２２との両者を使用するから、それらのうちのいずれか一方のみを認証に使用する場合と比較し、認証の精度を一層向上させることができる。
【００９９】
携帯端末認証システム１０は、スマートフォン１１を特定する携帯端末特定情報（ＩＰアドレス）が異なる場合、または、端末利用者を特定する個人情報（パスワードおよび端末利用者名）が異なる場合、スマートフォン１１へのアプリケーションの提供を不可とするから、アプリケーションの使用が許可されていないスマートフォン１１によるアプリケーションの不正な使用を防ぐことができるのみならず、タッチ面域データ１５の照合とともに携帯端末特定情報や個人情報の照合を行うことにより、アプリケーション提供時の認証の精度を向上させることができ、アプリケーション提供時における認証逃れや認証漏れを防ぐことができる。
【０１００】
図９は、タッチ区域１６ａ〜１６ｃが表示された一例として示すスマートフォン３０（高機能携帯端末）の正面図であり、図１０は、スマートフォン３０において指１８〜２０のタッチ面域データ１５を検出する手順の説明図である。図１１は、スマートフォン３０において行われる認証手順の一例を示すフローチャートであり、図１２は、図１１から続くフローチャートである。なお、図９では１台のスマートフォン３０を図示しているが、実際にはそれぞれ機種が異なるとともにそれを提供するキャリア（メーカー）が異なる各種複数のスマートフォン３０において以下の各手段が行われる。
【０１０１】
スマートフォン３０は、図１にシステム１０のそれと同様に、中央処理部（ＣＰＵまたはＭＰＵ）とメインメモリとを有して独立したオペレーティングシステム（ＯＳ）によって動作する物理的なコンピュータを内蔵し、大容量ハードディスクを実装している。スマートフォン３０は、複数ポイントのタッチ面域データ１５（面積データ２１ａ〜２１ｃおよび三角形データ２２）（図３，４援用）を同時に検出可能なマルチタッチパネル１４（静電容量方式）を備えている。スマートフォン３０のメモリには、ウェブブラウザが格納されている。スマートフォン３０のハードディスクには、各所に設置された物理的な外部サーバ（コンピュータ）や仮想サーバ（コンピュータ）のＵＲＬが格納されている。
【０１０２】
スマートフォン３０は、ウェブブラウザを利用してインターネット１２に接続可能であり、インターネット１２を利用して不特定多数のサーバ（物理サーバや仮想サーバ）（図示せず）にアクセスかつログインすることができるとともに、インターネット１２において各種検索エンジンを利用することができる。スマートフォン３０は、インターネット１２を介して各種データを複数の外部サーバや他のスマートフォンに提供することができ、インターネット１２を介して各種データを複数の外部サーバや他のスマートフォンから受け取ることができる。
【０１０３】
スマートフォン３０のハードディスクには、そのスマートフォン３０を使用する権限を有する端末利用者のタッチ面域データ１５や個人情報が格納される。個人情報としては、パスワードやＩＤ番号、端末利用者名、住所、電話番号、ＦＡＸ番号、メールアドレス等がある。スマートフォン３０のハードディスクには、タッチ面域データ１５の検出履歴がタッチ面域データ１５および個人情報に関連付けられた状態で格納される。スマートフォン３０では、それを使用する際、端末利用者を認証し、認証結果が可である場合、スマートフォン３０の使用を許可（ロック解除）する。逆に、認証結果が不可である場合、スマートフォン３０の使用を不可（ロック維持）とする。
【０１０４】
それら図に基づいて、スマートフォン３０における認証手順を説明すると、以下のとおりである。端末利用者がスマートフォン３０のスイッチをＯＮにすると、スマートフォン３０の中央処理部は、そのハードディスクにタッチ面域データ１５の検出履歴があるかを判断する（Ｓ−３０）。スマートフォン３０を初めて使用する場合、スマートフォン３０のハードディスクには検出履歴が格納されていない。スマートフォン３０の中央処理部は、タッチ面域データ１５の検出履歴を検索し、検出履歴がないと判断すると、マルチタッチパネル１４の所定の位置に端末利用者の指をタッチさせる登録用のタッチ区域１６ａ〜１６ｃを表示する（タッチ区域表示手段）（Ｓ−３１）。
【０１０５】
マルチタッチパネル１４には、図９に示すように、端末利用者の右手１７の五指のうち、人差し指１８の末節骨の指のはらをタッチする人差し指タッチ区域１６ａ、中指１９の末節骨の指のはらをタッチする中指タッチ区域１６ｂ、薬指２０の末節骨の指のはらをタッチする薬指タッチ区域１６ｃが表示される。さらに図示はしていないが、マルチタッチパネル１４には、それらタッチ区域１６ａ〜１６ｃへの指１８〜２０のタッチ要請メッセージ、閉じるボタンが表示される。閉じるボタンをクリックすると、スマートフォン３０の電源がＯＦＦになる。
【０１０６】
端末利用者は、タッチ要請メッセージにしたがい、図１０に示すように、マルチタッチパネル１４に表示された人差し指タッチ区域１６ａに右手１７の人差し指１８の末節骨の指のはらをタッチし、中指タッチ区域１６ｂに右手１７の中指１９の末節骨の指のはらをタッチするとともに、薬指タッチ区域１６ｃに右手１７の薬指２０の末節骨の指のはらをタッチする。端末利用者が人差し指１８、中指１９、薬指２０をそれらタッチ区域１６ａ〜１６ｃにタッチすると、スマートフォン１１の中央処理部は、マルチタッチパネル１４が人差し指１８の末節骨の指のはらのタッチ面域データ１５や中指１９の末節骨の指のはらのタッチ面域データ１５、薬指２０の末節骨の指のはらのタッチ面域データ１５を検知可能か判断する（Ｓ−３２）。
【０１０７】
マルチタッチパネル１４がそれら指１８〜２０のタッチ面域データ１５を検知できない場合、スマートフォン３０の中央処理部は、ステップ３１（Ｓ−３１）に戻り、パネル１４の所定の位置に端末利用者の指１８〜２０をタッチさせるタッチ区域１６ａ〜１６ｃを表示するとともに、タッチ要請メッセージ、閉じるボタンを表示し、ステップ３１からの手順を繰り返す。端末利用者は、再度タッチ区域１６ａ〜１６ｃへの指１８〜２０のタッチを行い、パネル１４（スマートフォン３０）にタッチ面域データ１５を検出させる。
【０１０８】
マルチタッチパネル１４がそれら指１８〜２０のタッチ面域データ１５を検知可能な場合、スマートフォン３０の中央処理部は、パネル１４における位置座標から求めた人差し指１８の末節骨の指のはらのタッチ面域データ１５、パネル１４における位置座標から求めた中指１９の末節骨の指のはらのタッチ面域データ１５、パネル１４における位置座標から求めた薬指２０の末節骨の指のはらのタッチ面域データ１５を検出する（面域データ第１検出手段）。なお、右手１７ではなく、左手の指（人差し指、中指、薬指）からタッチ面域データ１５を検出することもできる。
【０１０９】
スマートフォン３０は、マルチタッチパネル１４の所定の位置に登録用のタッチ区域１６ａ〜１６ｃを表示するから、パネル１１における指１８〜２０のタッチ位置が明確になり、タッチ面域データ１５の検出時においてパネル１１における指１８〜２０のタッチ位置が大きくずれることはなく、端末利用者の指１８〜２０のタッチ面域データ１５を確実に検出することができる。
【０１１０】
スマートフォン３０の中央処理部は、タッチ面域データ検出完了メッセージをマルチタッチパネル１４に表示した後、検出したそれら指１８〜２０のタッチ面域データ１５をハードディスクに仮に格納するとともに、個人情報入力画面（図示せず）をマルチタッチパネル１４に表示する。個人情報入力画面には、個人情報（パスワードやＩＤ番号、端末利用者名、住所、電話番号、ＦＡＸ番号、メールアドレス等のうちの少なくともパスワードや端末利用者名）の入力エリア、ＯＫボタン、タッチ面域データ再入力ボタン、閉じるボタンが表示される。なお、入力画面には、パスワード入力エリアおよび端末利用者名入力エリアが表示されるものとする。
【０１１１】
タッチ面域データ再入力ボタンをクリックすると、スマートフォン３０の中央処理部は、ステップ３１（Ｓ−３１）に戻り、マルチタッチパネル１４の所定の位置に端末利用者の指１８〜２０をタッチさせるタッチ区域１６ａ〜１６ｃを表示するとともに、タッチ要請メッセージ、閉じるボタンを表示し、ステップ３１からの手順を繰り返す。この場合、スマートフォン１１の中央処理部は、ハードディスクに仮に格納したタッチ面域データ１５を消去する。端末利用者は、再度タッチ区域１６ａ〜１６ｃへの指１８〜２０のタッチを行い、マルチタッチパネル１４（スマートフォン１１）にタッチ面域データ１５を検出させる。閉じるボタンをクリックすると、仮に格納されたタッチ面域データ１５がハードディスクから消去されるとともに、スマートフォン３０の電源がＯＦＦになる。
【０１１２】
パスワード入力エリアにパスワードを入力するとともに、端末利用者名入力エリアに端末利用者名を入力した後、ＯＫボタンをクリックすると、スマートフォン３０の中央処理部は、タッチ面域データ登録画面（図示せず）をマルチタッチパネル１４に表示し、タッチ面域データ１５や個人情報を登録するかを判断する（Ｓ−３３）。
【０１１３】
タッチ面域データ登録画面には、検出されたタッチ面域データ１５が表示されたタッチ面域データ表示エリア、入力されたパスワードが表示されたパスワード表示エリア、入力された端末利用者名が表示された端末利用者名表示エリア、データ登録ボタン、クリアボタン、タッチ面域データ再入力ボタン、閉じるボタンが表示される。クリアボタンをクリックすると、各入力エリアに入力したデータが消去され、個人情報入力画面が再びパネル１４に表示される。端末利用者は、それら入力エリアへ再度データを入力する。タッチ面域データ再入力ボタンや閉じるボタンをクリックした後の処理は、既述のとおりである。
【０１１４】
データ登録ボタンをクリックすると、スマートフォン３０の中央処理部は、データ登録メッセージをマルチタッチパネル１４に表示し、ハードディスクに仮に格納したそれら指のタッチ面域データ１５（面積データ２１ａ〜２１ｃおよび三角形データ２２）をハードディスクに格納するとともに（面域データ記憶手段）、入力された個人情報（パスワード、端末利用者名）をハードディスクに格納する（面域データ記憶手段）（Ｓ−３４）。さらに、タッチ面域データ１５の検出履歴をハードディスクに格納する（検出履歴記憶手段）。タッチ面域データ１５は、個人情報に関連付けられた状態で格納される。検出履歴には、タッチ面域データ１５の検出日時がある。検出日時は、タッチ面域データ１５および個人情報に関連付けられた状態でハードディスクに格納される。
【０１１５】
タッチ面域データ１５としては、マルチタッチパネル１４に検出された端末利用者の人差し指１８、中指１９、薬指２０の３つの指１８〜２０のはらの接触面域の面積データ２１ａ〜２１ｃと、端末利用者の人差し指１８、中指１９、薬指２０の３つの指１８〜２０の末節骨の指のはらの接触面域の中心点Ｏを結ぶことから作られた三角形データ２２（図形データ）とがある（図３，４援用）。面積データ２１ａ〜２１ｃや三角形データ２２の詳細は、図１のシステム１０のそれらと同一であるから、その説明は省略する。
【０１１６】
スマートフォン３０の中央処理装置は、格納した各指１８〜２０の面積データ２１ａ〜２１ｃの許容誤差を設定し（面積データ許容誤差決定手段）、設定した許容誤差をハードディスクに格納する（面積データ許容誤差記憶手段）。さらに、格納した三角形データ２２の許容誤差を設定し（三角形データ許容誤差決定手段）、設定した許容誤差をハードディスクに格納する（三角形データ許容誤差記憶手段）。面積データ２１ａ〜２１ｃの許容誤差や三角形データ２２の許容誤差の詳細は、図１のシステム１０のそれらと同一であるから、その説明は省略する。
【０１１７】
スマートフォン３０の中央処理部は、タッチ面域データ１５や個人情報、検出履歴、面積データ２１ａ〜２１ｃの許容誤差、三角形データ２２の許容誤差をハードディスクに格納した後、マルチタッチパネル１４に使用継続ボタン、閉じるボタンを表示する。次に、スマートフォン３０の中央処理部は、その使用を中止するかを判断する（Ｓ−３５）。閉じるボタンをクリックすると、スマートフォン３０の中央処理部は、使用を中止すると判断し、スマートフォン３０の電源をＯＦＦにする。
【０１１８】
使用継続ボタンをクリックすると、スマートフォン３０の中央処理部は、使用を継続すると判断し、マルチタッチパネル１４の所定の位置に端末利用者の指１８〜２０をタッチさせる認証用のタッチ区域１６ａ〜１６ｃを表示する（タッチ区域表示手段）（Ｓ−３６）。マルチタッチパネル１４には、人差し指１８の末節骨の指のはらをタッチする人差し指タッチ区域１６ａ、中指１９の末節骨の指のはらをタッチする中指タッチ区域１６ｂ、薬指２０の末節骨の指のはらをタッチする薬指タッチ区域１６ｃが表示される（図９参照）。マルチタッチパネル１４には、タッチ区域１６ａ〜１６ｃの他に、それらタッチ区域１６ａ〜１６ｃへの指のタッチ要請メッセージ、閉じるボタンが表示される。閉じるボタンをクリックした後の処理は、既述のとおりである。
【０１１９】
端末利用者は、タッチ要請メッセージにしたがい、人差し指タッチ区域１６ａに右手１７の人差し指１８の末節骨の指のはらをタッチし、中指タッチ区域１６ｂに右手１７の中指１９の末節骨の指のはらをタッチするとともに、薬指タッチ区域１６ｃに右手１７の薬指２０の末節骨の指のはらをタッチする（図１０参照）。端末利用者が人差し指１８、中指１９、薬指２９をそれらタッチ区域１６ａ〜１６ｃにタッチすると、スマートフォン３０の中央処理部は、マルチタッチパネル１４が人差し指１８の末節骨の指のはらのタッチ面域データ１５や中指１９の末節骨の指のはらのタッチ面域データ１５、薬指２０の末節骨の指のはらのタッチ面域データ１５を検知可能か判断する（Ｓ−３７）。
【０１２０】
マルチタッチパネル１４がそれら指１８〜２０のタッチ面域データ１５を検知できない場合、スマートフォン３０の中央処理部は、ステップ３６（Ｓ−３６）に戻り、パネル１４の所定の位置に端末利用者の指１８〜２０をタッチさせる認証用のタッチ区域１６ａ〜１６ｃを表示するとともに、タッチ要請メッセージ、閉じるボタンを表示し、ステップ３６からの手順を繰り返す。端末利用者は、再度タッチ区域１６ａ〜１６ｃへの指１８〜２０のタッチを行い、マルチタッチパネル１４（スマートフォン１１）にタッチ面域データ１５を検出させる。
【０１２１】
マルチタッチパネル１４がそれら指１８〜２０のタッチ面域データ１５を検知可能な場合、スマートフォン１１の中央処理部は、パネル１４における位置座標から求めた人差し指１８の末節骨の指のはらのタッチ面域データ１５、パネル１４における位置座標から求めた中指１９の末節骨の指のはらのタッチ面域データ１５、パネル１４における位置座標から求めた薬指２０の末節骨の指のはらのタッチ面域データ１５を検出する（面域データ第２検出手段）。
【０１２２】
なお、面域データ第２検出手段によって検出されたタッチ面域データ１５は、人差し指１８の末節骨の指１８のはらの接触面域の面積データ２１ａ、中指１９の末節骨の指１９のはらの接触面域の面積データ２１ｂ、薬指２０の末節骨の指２０のはらの接触面域の面積データ２１ｃであるとともに、人差し指１８、中指１９、薬指２０の３つの指１８〜２０の末節骨の指１８〜２０のはらの接触面域の中心点Ｏを結ぶことから作られた三角形データ２２（図形データ）である（図３，４援用）。
【０１２３】
スマートフォン３０は、それがマルチタッチパネル１４の所定の位置に認証用タッチ区域１６ａ〜１６ｃを表示するから、パネル１４における指１８〜２０のタッチ位置が明確になり、タッチ面域データ１５の検出時においてパネル１４における指１８〜１０のタッチ位置が大きくずれることはなく、端末利用者の指１８〜２０のタッチ面域データ１５を確実に検出することができるとともに、指１８〜２０のタッチ面域データ１５を確実に照合することができる。
【０１２４】
スマートフォン３０の中央処理部は、タッチ面域データ検出完了メッセージをマルチタッチパネル１４に表示し、検出したそれら指１８〜２０のタッチ面域データ１５を一時的にハードディスクに格納する。さらに、ハードディスクに格納されたタッチ面域データ１５の検出履歴を検索し、検出履歴が存在するかを判断する。検出履歴がハードディスクに存在する場合、スマートフォン３０の中央処理部は、個人情報入力画面（図示せず）をマルチタッチパネル１４に表示する。個人情報入力画面には、パスワード入力エリア、端末利用者名入力エリア、ＯＫボタン、タッチ面域データ再入力ボタン、閉じるボタンが表示される。
【０１２５】
タッチ面域データ再入力ボタンをクリックすると、スマートフォン３０の中央処理部は、ステップ３６（Ｓ−３６）に戻り、マルチタッチパネル１４の所定の位置に端末利用者の指１８〜２０をタッチさせる認証用のタッチ区域１６ａ〜１６ｃを表示するとともに、タッチ要請メッセージ、閉じるボタンを表示し、ステップ３６からの手順を繰り返す。この場合、スマートフォン３０の中央処理部は、ハードディスクに一時的に格納したそれら指１８〜２０のタッチ面域データ１５をハードディスクから消去する。端末利用者は、再度タッチ区域１６ａ〜１６ｃへの指１８〜２０のタッチを行い、マルチタッチパネル１４（スマートフォン３０）にタッチ面域データ１５を検出させる。閉じるボタンをクリックすると、スマートフォン３０の中央処理部は、ハードディスクに一時的に格納したそれら指のタッチ面域データ１５（認証用）をハードディスクから消去した後、スマートフォン３０の電源をＯＦＦにする。
【０１２６】
パスワード入力エリアにパスワードを入力するとともに、端末利用者名入力エリアに端末利用者名を入力した後、ＯＫボタンをクリックすると、スマートフォン３０の中央処理部は、面域データ第２検出手段によって検出したタッチ面域データ１５（認証用）を面域データ記憶手段によって記憶したタッチ面域データ１５（登録用）と照合する（面域データ照合手段）（Ｓ−３８）。面域データ照合手段では、タッチ面域データ１５どうしの照合の他、入力された個人情報を面域データ記憶手段によって記憶した個人情報と照合する。面域データ照合手段におけるタッチ面域データ１５どうしの照合では、マルチタッチパネル１４に検出された指１８〜２０のはらの接触面域の面積データ２１ａ〜２１ｃどうしを比較するとともに、人差し指１８、中指１９、薬指２０の３つの指１８〜２０の末節骨の指１８〜２０のはらの接触面域の中心点Ｏを結ぶことから作られた三角形データ２２どうしを比較する。
【０１２７】
面積データ２１ａ〜２１ｃどうしの比較では、人差し指１８の末節骨の指のはらの接触面域の面積データ２１ａ（認証用面積データ）（ｍ２）と面積データ２１ａ（記憶済み面積データ）（ｍ２）とを比較し、面積データ２１ａ（認証用面積データ）が面積データ２１ａ（記憶済み面積データ）に対して許容誤差±α（ｍ２）の範囲内にあるかを判断するとともに、中指１９の末節骨の指のはらの接触面域の面積データ２１ｂ（認証用面積データ）（ｍ２）と面積データ２１ｂ（記憶済み面積データ）（ｍ２）とを比較し、面積データ２１ｂ（認証用面積データ）が面積データ２１ｂ（記憶済み面積データ）に対して許容誤差±α（ｍ２）の範囲内にあるかを判断する。さらに、薬指２０の末節骨の指のはらの接触面域の面積データ２１ｃ（認証用面積データ）（ｍ２）と面積データ２１ｃ（記憶済み面積データ）（ｍ２）とを比較し、面積データ２１ｃ（認証用面積データ）が面積データ２１ｃ（記憶済み面積データ）に対して許容誤差±α（ｍ２）の範囲内にあるかを判断する（Ｓ−３９）。
【０１２８】
面積データ２１ａ〜２１ｃどうしを比較した結果、面域データ第２検出手段によって検出した面積データ２１ａ〜２１ｃの全てが面域データ記憶手段によって記憶した面積データ２１ａ〜２１ｃの許容誤差±α（ｍ２）の範囲内にある（実質的に同一である）場合、認証結果を可（スマートフォン３０の使用を許可）とする。逆に、面積データ２１ａ〜２１ｃどうしを比較した結果、面域データ第２検出手段によって検出した面積データ２１ａ〜２１ｃの少なくとも１つが面域データ記憶手段によって記憶した面積データ２１ａ〜２１ｃの許容誤差±α（ｍ２）の範囲外である（相違する）場合（図５援用）、認証結果を不可（スマートフォン３０の使用を不可）とする。
【０１２９】
三角形データ２２どうしの比較では、面域データ第２検出手段によって検出した三角形データ２２（認証用三角データ）と面域データ記憶手段によって記憶した三角形データ２２（記憶済み三角形データ）とを比較し、三角形データ２２（認証用三角データ）の各辺Ａ１〜Ａ３の長さが三角形データ２２（記憶済み三角形データ）の各辺Ａ１〜Ａ３の長さに対して許容誤差±β（ｍｍ）の範囲内にあるかを判断し、三角形データ２２（認証用三角データ）の各角の角度Ｂ１〜Ｂ３が三角形データ２２（記憶済み三角形データ）の各角の角度Ｂ１〜Ｂ３に対して許容誤差±γ（°）の範囲内にあるかを判断するとともに、三角形データ２２（認証用三角データ）の面積Ｓが三角形データ２２（記憶済み三角形データ）の面積Ｓに対して許容誤差±δ（ｍ２）の範囲内にあるかを判断する（Ｓ−３９）。
【０１３０】
三角形データ２２どうしを比較した結果、面域データ第２認証用手段によって認証用した三角形データ２２が面域データ記憶手段によって記憶した三角形データ２２の許容誤差±β（ｍｍ）、±γ（°）、±δ（ｍ２）の範囲内にある（実質的に同一である）場合、認証結果を可（スマートフォン３０の使用を許可）とする。逆に、三角形データ２２どうしを比較した結果、面域データ第２送信手段によって送信された三角形データ２２が面域データ記憶手段によって記憶した三角形データ２２の許容誤差±β（ｍｍ）、±γ（°）、±δ（ｍ２）の範囲外である（相違する）場合（図６援用）、認証結果を不可（スマートフォン３０の使用を不可）とする。
【０１３１】
スマートフォン３０の中央処理部は、タッチ面域データ１５の認証と同時に、入力された個人情報（パスワードおよび端末利用者名）と面域データ記憶手段によって記憶した個人情報（パスワードおよび端末利用者名）とを比較し、それら個人情報が同一であるかを判断する（Ｓ−３９）。それら個人情報が同一である場合、認証結果を可（スマートフォン３０の使用を許可）とする。逆に、それら個人情報が相違する場合、認証結果を不可（スマートフォン３０の使用を不可）とする。なお、認証結果を不可の場合、スマートフォン３０の中央処理部は、認証結果不可メッセージ、再認証実行ボタン、閉じるボタンをマルチタッチパネル１４に表示し、再度認証を行うかを判断する（Ｓ−４０）。
【０１３２】
閉じるボタンをクリックすると、スマートフォン３０の中央処理部は、再度の認証は行わないと判断し、ハードディスクに一時的に格納したそれら指のタッチ面域データ１５（認証用）をハードディスクから消去した後、スマートフォン３０の電源をＯＦＦにする。再認証実行ボタンをクリックすると、スマートフォン３０の中央処理部は、再度認証を行うと判断し、ハードディスクに一時的に格納したそれら指のタッチ面域データ１５（認証用）をハードディスクから消去した後、ステップ３６（Ｓ−３６）に戻り、パネル１４の所定の位置に端末利用者の指１８〜２０をタッチさせる認証用タッチ区域１６ａ〜１６ｃを表示するとともに、タッチ要請メッセージ、閉じるボタンを表示し、ステップ３６からの手順を繰り返す。
【０１３３】
スマートフォン３０の中央処理部は、各面積データ２１ａ〜２１ｃの許容誤差±α（ｍ２）の範囲内にあり、三角形データ２２が許容誤差±β（ｍｍ）、±γ（°）、±δ（ｍ２）の範囲内にあるとともに、携帯端末特定情報（ＩＰアドレス）および個人情報（パスワードおよび端末利用者名）が同一であり、認証結果を可とすると、初期画面をマルチタッチパネル１４に表示し、スマートフォン３０の使用を可能とする。初期画面には、図示はしていないが、各種ウェブブラウザを示す複数のアイコン、スマートフォン３０に他の機能を実行させるアイコンやコマンドが表示される。
【０１３４】
スマートフォン３０のスイッチをＯＮにした後、ステップ３０（Ｓ−３０）において、検出履歴が格納されているか判断した結果、検出履歴が格納されている場合、スマートフォン３０の中央処理部は、ステップ３６（Ｓ−３６）に進み、マルチタッチパネル１４の所定の位置に端末利用者の指１８〜２０をタッチさせる認証用のタッチ区域１６ａ〜１６ｃを表示し（タッチ区域表示手段）（Ｓ−３６）、ステップ３６（Ｓ−３６）からの手順を行う。
【０１３５】
スマートフォン３０は、面域データ第１検出手段や面域データ第２検出手段によって検出した端末利用者の人差し指１８、中指１９、薬指２０であってそれら指１８〜２０の末節骨の指のはらのタッチ面域データ１５（面積データ２１ａ〜２１ｃおよび三角形データ２２）を照合するから、端末利用者の指先のみをマルチタッチパネル１４にタッチすればよく、指先から指の付け根までの指全域のはらをタッチする必要はなく、スマートフォン３０に実装されるマルチタッチパネル１４が小型化したとしても、端末利用者の指１８〜２０のタッチ面域データ１５を確実に取得することができ、スマートフォン３０の使用時において端末利用者の認証を確実に行うことができる。
【０１３６】
スマートフォン３０は、面域データ照合手段によって照合したそれらタッチ面域データ（面積データ２１ａ〜２１ｃおよび三角形データ２２）が実質的に同一であると判断すると、スマートフォン３０の使用を許可し、端末利用者の人差し指１８、中指１９、薬指２０の３つの指１８〜２０の接触面域の各面積データ２１ａ〜２１ｃ（タッチ面域データ１５）の少なくとも１つが異なる場合、または、３つの指１８〜２０の末節骨の指１８〜２０のはらの接触面域の中心点Ｏを結ぶことから作られた三角形データ２２（図形データ）（タッチ面域データ１５）が異なる場合、スマートフォン３０の使用を不可とするから、スマートフォン３０の使用権限がない第三者によるスマートフォン３０の不正な使用を防ぐことができ、スマートフォン３０におけるデータの不正取得やデータの改竄、なりすまし等の不正行為を防ぐことができる。
【０１３７】
スマートフォン３０は、人差し指１８、中指１９、薬指２０の３つの指１８〜２０の接触面域の各面積データ２１ａ〜２１ｃを端末利用者の認証に使用するから、端末利用者の人差し指１８、中指１９、薬指２０のうちのいずれか１つのみの面積データを認証に使用する場合と比較し、認証の精度を向上させることができ、第三者によるスマートフォン３０の不正な使用を確実に防ぐことができる。また、端末利用者の認証に面積データ２１ａ〜２１ｃと三角形データ２２との両者を使用するから、それらのうちのいずれか一方のみを認証に使用する場合と比較し、認証の精度を一層向上させることができる。
【０１３８】
スマートフォン３０は、端末利用者を特定する個人情報（パスワードおよび端末利用者名）が異なる場合、スマートフォン３０の使用を不可とするから、スマートフォン３０の使用権限がない第三者の不正な使用を防ぐことができるのみならず、タッチ面域データ１５の照合とともに個人情報の照合を行うことにより、スマートフォン３０使用時の認証の精度を向上させることができ、スマートフォン３０使用時における認証逃れや認証漏れを防ぐことができる。
【０１３９】
なお、図１のシステム１０や図９のスマートフォン３０では、端末利用者の五指のうち、人差し指、中指、薬指の３つの指をマルチタッチパネルにタッチし、それら指１８〜２０からタッチ面域データ１５（面積データ２１ａ〜２１ｃと三角形データ２２）を検出する場合を例として説明しているが、人差し指、中指、薬指の３つの指の他に、親指、人差し指、中指、薬指の４つの指をマルチタッチパネルにタッチし、それら指からタッチ面域データ１５（面積データと四角形データ）を検出することもでき、親指、人差し指、中指、薬指、小指の５つの指をマルチタッチパネルにタッチし、それら指からタッチ面域データ１５（面積データと五角形データ）を検出することもできる。
【符号の説明】
【０１４０】
１０    携帯端末認証システム
１１    スマートフォン
１２    インターネット
１３    サーバ
１４    マルチタッチパネル
１５    タッチ面域データ
１６ａ  タッチ区域
１６ｂ  タッチ区域
１６ｃ  タッチ区域
１８    人差し指
１９    中指
２０    薬指
２１ａ  面積データ
２１ｂ  面積データ
２１ｃ  面積データ
２２    三角形データ（図形データ）
３０    スマートフォン
【図１】
2014021839.tif 000003
【図２】
2014021839.tif 000004
【図３】
2014021839.tif 000005
【図４】
2014021839.tif 000006
【図５】
2014021839.tif 000007
【図６】
2014021839.tif 000008
【図７】
2014021839.tif 000009
【図８】
2014021839.tif 000010
【図９】
2014021839.tif 000011
【図１０】
2014021839.tif 000012
【図１１】
2014021839.tif 000013
【図１２】
2014021839.tif 000014